(57)【特許請求の範囲】
【請求項１】
所定のサンプリング周波数及び固有フィールド周波数を有すると共に、固有のデータ配列及びビット配列をフィールド単位で規定する固有フォーマットに基づいたオーディオデータを受け入れ、少なくとも該オーディオデータのベースバンド処理を行う入力部と、
所定のサンプリング周波数及び基本フィールド周波数を有し基本のデータ配列及びビット配列をフィールド単位で規定する基本フォーマットに基づいたオーディオデータを処理するように設計されており、サンプリング周波数に応じたクロックで動作し基本フォーマットに適合したオーディオデータのエラー訂正用の符号化処理を行う処理部と、
該処理部から出力されたオーディオデータを記録媒体に書き込む出力部とからなるデジタル音声記録装置において、
該入力部と該処理部との間に変換部が配されており、オーディオデータの固有フィールド周波数が基本フィールド周波数と異なり且つ固有フォーマットが基本フォーマットと異なる時、前記変換部は、固有フォーマットを基本フォーマットに適合させつつ、固有フィールド周波数と基本フィールド周波数との比に応じて該サンプリング周波数を変換してオーディオデータを該処理部に渡し、
前記処理部は、該変換されたサンプリング周波数に応じたクロックで動作し、該基本フォーマットに適合したオーディオデータのエラー訂正用の符号化処理を行うことを特徴とするデジタル音声記録装置。
【請求項２】
前記変換部は、一フィールド当りのサンプル数と一サンプルのビット数との積で決まる一フィールド当りの総ビット数を維持しつつ、一フィールド当りのサンプル数と一サンプルのビット数を組替えて固有フォーマットを基本フォーマットに適合させると共に、一フィールド当りのサンプル数を変えることで該サンプリング周波数を変換することを特徴とする請求項１記載のデジタル音声記録装置。
【請求項３】
一フィールド当りのサンプル数と一サンプルのビット数との積で決まる一フィールド当りの総ビット数が固有フォーマットと基準フォーマットで異なる場合、前記変換部は、入力されたオーディオデータのサンプリング周波数を変換して一フィールド当りのサンプル数を補正し、以って一フィールド当りの補正されたサンプル数と一サンプルのビット数との積で決まる一フィールド当りの補正された総ビット数を、基準フォーマットで決まる一フィールド当りの総ビット数に合わせることを特徴とする請求項２記載のデジタル音声記録装置。
【請求項４】
一フィールド当りのサンプル数と一サンプルのビット数との積で決まる一フィールド当りの総ビット数が固有フォーマットと基準フォーマットで異なる場合、前記変換部は、不足するビット数に見合うダミーのデータを固有フォーマットに付加して一フィールド当りの総ビット数を補正し、以って固有フォーマット側の総ビット数を基準フォーマット側の総ビット数に合わせることを特徴とする請求項２記載のデジタル音声記録装置。
【請求項５】
前記変換部は、シリアルに配列したサンプルのビットストリームからなるオーディオデータを固有フォーマット側のビット数単位でＦＩＦＯに書込み且つ基本フォーマット側のビット数単位で読出して、一フィールド当りのサンプル数と一サンプルのビット数を組替え固有フォーマットを基本フォーマットに適合させることを特徴とする請求項２記載のデジタル音声記録装置。
【請求項６】
前記変換部は、固有フィールド周波数に同期して該ＦＩＦＯに対するオーディオデータの書込み及び読出しを制御し、以って固有フォーマットを基本フォーマットに適合させることを特徴とする請求項５記載のデジタル音声記録装置。
【請求項７】
前記処理部は該変換部を変換手段として内蔵しているとともにオーディオデータのエラー訂正用の符号化処理を行なう符号化手段を含んでおり、
前記変換手段は、オーディオデータの固有フィールド周波数が基本フィールド周波数と異なり且つ固有フォーマットが基本フォーマットと異なる時、固有フォーマットを変換し基本フォーマットに適合させた上でオーディオデータを該符号化手段に渡し、
前記符号化手段は、所定のサンプリング周波数に応じたクロックで動作しつつ、固有フィールド周波数と基本フィールド周波数との比に応じた割合で随時休止を入れながら該基本フォーマットに適合されたオーディオデータのエラー訂正用の符号化処理を行うことを特徴とする請求項１記載のデジタル音声記録装置。
【請求項８】
前記変換手段は、一フィールド当りのサンプル数と一サンプルのビット数との積で決まる一フィールド当りの総ビット数を維持しつつ、一フィールド当りのサンプル数と一サンプル当りのビット数を組替えて固有フォーマットを基本フォーマットに変換することを特徴とする請求項７記載のデジタル音声記録装置。
【請求項９】
前記変換手段は基本フォーマット側の一サンプル当りビット数に対応したビット数のレジスタを備え、シリアルに配列したサンプルのビットストリームからなる固有フォーマットのオーディオデータをサイクリックに該レジスタに書込む一方、固有フォーマット側の一サンプル当りビット数と基本フォーマット側の一サンプル当りビット数との比に応じた割合で随時休止を入れながら該レジスタからサイクリックにオーディオデータを読み出して、一フィールド当りのサンプル数と一サンプルのビット数を組替え固有フォーマットを基本フォーマットに変換することを特徴とする請求項８記載のデジタル音声記録装置。
【請求項１０】
あるサンプリング周波数及び固有フィールド周波数を有すると共に、基本のデータ配列及びビット配列をフィールド単位で規定する基本フォーマットに適合されたオーディオデータを記録媒体から読込む入力部と、
所定のサンプリング周波数及び基本フィールド周波数を有すると共に基本フォーマットに基づいたオーディオデータを処理するように設計されており、サンプリング周波数に応じたクロックで動作し基本フォーマットに適合したオーディオデータの少なくともエラー訂正用の復号化処理を行う処理部と、
該処理部から出力されたオーディオデータの少なくともベースバンド処理を行った上で該オーディオデータを再生デバイスに供給する出力部とからなるデジタル音声再生装置において、
前記処理部は、該読み込んだオーディオデータのサンプリング周波数に応じたクロックで動作可能であり、該基本フォーマットに適合したオーディオデータのエラー訂正用の復号化処理を行い、
該処理部と該出力部との間に変換部が配されており、該読込んだオーディオデータの固有フィールド周波数が基本フィールド周波数と異なり且つ固有フォーマットが基本フォーマットと異なる時、前記変換部は、基本フォーマットに適合していた該オーディオデータを固有フォーマットに戻すと共に、固有フィールド周波数と基本フィールド周波数との比に応じて該読み込んだオーディオデータのサンプリング周波数を所定のサンプリング周波数に変換してオーディオデータを該出力部に渡すことを特徴とするデジタル音声再生装置。
【請求項１１】
前記変換部は、一フィールド当りのサンプル数と一サンプルのビット数との積で決まる一フィールド当りの総ビット数を維持しつつ、一フィールド当りのサンプル数と一サンプルのビット数を組替えて該オーディオデータを基本フォーマットから固有フォーマットに戻すと共に、一フィールド当りのサンプル数を変えることで該サンプリング周波数を変換することを特徴とする請求項１０記載のデジタル音声再生装置。
【請求項１２】
一フィールド当りのサンプル数と一サンプルのビット数との積で決まる一フィールド当りの総ビット数が固有フォーマットと基準フォーマットで異なる場合、前記変換部は、一旦該基本フォーマットから近似的に固有フォーマットに戻されたオーディオデータのサンプリング周波数を変換して一フィールド当りのサンプル数を補正し、以ってオーディオデータを最終的に固有フォーマットに変換することを特徴とする請求項１１記載のデジタル音声再生装置。
【請求項１３】
一フィールド当りのサンプル数と一サンプルのビット数との積で決まる一フィールド当りの総ビット数が固有フォーマットと基準フォーマットで異なる場合、前記変換部は、一旦該基本フォーマットに適合したオーディオデータに余分のダミーデータを付加して近似的に固有フォーマットに戻した後、該ダミーデータを削除してオーディオデータを最終的に固有フォーマットに変換することを特徴とする請求項１１記載のデジタル音声再生装置。
【請求項１４】
前記変換部は、シリアルに配列したサンプルのビットストリームからなるオーディオデータを基本フォーマット側のビット数単位でＦＩＦＯに書込み且つ固有フォーマット側のビット数単位で読出して、一フィールド当りのサンプル数と一サンプルのビット数を組替え基本フォーマットを固有フォーマットに戻すことを特徴とする請求項１１記載のデジタル音声再生装置。
【請求項１５】
前記変換部は、固有フィールド周波数に同期して該ＦＩＦＯに対するオーディオデータの書込み及び読出しを制御し、以って基本フォーマットを固有フォーマットに戻すことを特徴とする請求項１４記載のデジタル音声再生装置。
【請求項１６】
前記処理部は該変換部を変換手段として内蔵しているとともに、オーディオデータのエラー訂正用の復号化処理を行なう復号化手段を含んでおり、
前記復号化手段は、所定のサンプリング周波数に応じたクロックで動作しつつ、固有フィールド周波数と基本フィールド周波数との比に応じた割合で随時休止を入れながら該基本フォーマットに適合したオーディオデータのエラー訂正用の復号化処理を行い、
前記変換手段は、該読込んだオーディオデータの固有フィールド周波数が基本フィールド周波数と異なり且つ固有フォーマットが基本フォーマットと異なる時、基本フォーマットに適合していた該オーディオデータを固有フォーマットに戻した上でオーディオデータを該出力部に渡すことを特徴とする請求項１０記載のデジタル音声再生装置。
【請求項１７】
前記変換手段は、一フィールド当りのサンプル数と一サンプルのビット数との積で決まる一フィールド当りの総ビット数を維持しつつ、一フィールド当りのサンプル数と一サンプルのビット数を組替えて該オーディオデータを基本フォーマットから固有フォーマットに戻すことを特徴とする請求項１６記載のデジタル音声再生装置。
【請求項１８】
前記変換手段は、基本フォーマット側の一サンプル当りビット数に対応したビット数のレジスタを備え、固有フォーマット側の一サンプル当りビット数と基本フォーマット側の一サンプル当りビット数との比に応じた割合で随時休止を入れながら、シリアルに配列したサンプルのビットストリームからなる基本フォーマットのオーディオデータをサイクリックに該レジスタに書込む一方、固有フォーマット側の一サンプル当りビット数で区切りながら該レジスタからサイクリックにオーディオデータを読み出して、一フィールド当りのサンプル数と一サンプルのビット数を組替えて基本フォーマットを固有フォーマットに戻すことを特徴とする請求項１７記載のデジタル音声再生装置。
【請求項１９】
オーディオデータの順方向再生と逆方向再生を切り替えて行う場合、前記変換手段は、該レジスタに対してオーディオデータの書き込み及び読み出しを行う時、一方ではビット列のＭＳＢを先頭にし他方ではＬＳＢを先頭にすることを特徴とする請求項１８記載のデジタル音声再生装置。
【請求項２０】
前記変換部は、一フィールド当りのサンプル数と一サンプルのビット数との積で決まる一フィールド当りの総ビット数を維持しつつ、一フィールド当りのサンプル数と一サンプルのビット数を組替えて該オーディオデータを基本フォーマットから固有フォーマットに戻し、
更にシャトル再生制御部を備えており、異なるフィールドに属するオーディオデータを混合してシャトル再生を行う場合、該変換部で固有フォーマットに戻されたサンプルのうち正しいビット列を含む有効サンプルのみを該出力部に渡すことを特徴とする請求項１０記載のデジタル音声再生装置。
【請求項２１】
前記シャトル再生制御部は、固有フォーマットに戻されたサンプルのうち正しいビット列を有さない無効サンプルに代えて、有効サンプルを補間して得られた代替サンプルを該出力部に渡すことを特徴とする請求項２０記載のデジタル音声再生装置。
【請求項２２】
前記シャトル再生制御部は、固有フォーマットに戻されたサンプルのうち正しいビット列と正しくないビット列を含んだ無効サンプルの少なくとも一部につき、正しくないビット列を０で置換して有効サンプルに転換し該出力部に渡すことを特徴とする請求項２０記載のデジタル音声再生装置。
【請求項２３】
所定のサンプリング周波数及び固有フィールド周波数を有し画枠に関する固有フォーマットに基づいたビデオデータを受け入れ、少なくとも該ビデオデータのベースバンド処理を行う入力部と、
所定のサンプリング周波数及び基本フィールド周波数を有し画枠に関する基本フォーマットに基づいたビデオデータを処理するように設計されており、サンプリング周波数に応じたクロックで動作し基本フォーマットに適合したビデオデータの圧縮処理及びエラー訂正用の符号化処理を行う処理部と、
該処理部から出力されたビデオデータを記録媒体に書き込む出力部とからなるデジタル映像記録装置において、
該入力部と該処理部との間に変換部が配されており、ビデオデータの固有フィールド周波数が基本フィールド周波数と異なる時、前記変換部は、固有フォーマットを基本フォーマットに適合させつつ、固有フィールド周波数と基本フィールド周波数との比に応じて該サンプリング周波数を変換してビデオデータを該処理部に渡し、
前記処理部は、該変換されたサンプリング周波数に応じたクロックで動作し、該基本フォーマットに適合したビデオデータの圧縮処理及びエラー訂正用の符号化処理を行うことを特徴とするデジタル映像記録装置。
【請求項２４】
前記変換部は、固有フォーマットが基本フォーマットに一致する場合、該固有フォーマットを維持しつつ、固有フィールド周波数と基本フィールド周波数との比に応じ該サンプリング周波数を変換してビデオデータを該処理部に渡すことを特徴とする請求項２３記載のデジタル映像記録装置。
【請求項２５】
前記変換部は、固有フォーマットが基本フォーマットに一致する場合、画枠に入る有効データをそのまま保存して該固有フォーマットを維持しつつ、画枠に入らない無効データを調整して該サンプリング周波数を変換することを特徴とする請求項２４記載のデジタル映像記録装置。
【請求項２６】
前記変換部は、固有フォーマットが基本フォーマットと異なる場合、該固有フォーマットを該基本フォーマットに変換した上で、固有フィールド周波数と基本フィールド周波数との比に応じ該サンプリング周波数を変換してビデオデータを該処理部に渡すことを特徴とする請求項２３記載のデジタル映像記録装置。
【請求項２７】
前記変換部は、固有フォーマットの画枠に含まれるデータのライン数が基本フォーマットの画枠に含まれるデータのライン数と異なる場合、該画枠に含まれるデータのライン数を調整して該固有フォーマットを該基本フォーマットに変換することを特徴とする請求項２６記載のデジタル映像記録装置。
【請求項２８】
あるサンプリング周波数及び固有フィールド周波数を有し画枠に関する基本フォーマットに適合されたビデオデータを記録媒体から読み込む入力部と、
所定のサンプリング周波数及び基本フィールド周波数を有し基本フォーマットに基づいたビデオデータを処理するように設計されており、サンプリング周波数に応じたクロックで動作して基本フォーマットに適合したビデオデータのエラー訂正用復号化処理及び伸張処理を行う処理部と、
該処理部から出力されたビデオデータの少なくともベースバンド処理を行った上で該ビデオデータを再生デバイスに供給する出力部とからなるデジタル映像再生装置において、
前記処理部は、該読み込んだビデオデータのサンプリング周波数に応じたクロックで動作可能であり、該基本フォーマットに適合したビデオデータのエラー訂正用復号化処理及び伸張処理を行い、
該処理部と該出力部との間に変換部が配されており、該読み込んだビデオデータの固有フィールド周波数が基本フィールド周波数と異なる時、前記変換部は、基本フォーマットに適合していた該ビデオデータを固有フォーマットに戻すと共に、固有フィールド周波数と基本フィールド周波数との比に応じて該読み込んだビデオデータのサンプリング周波数を所定のサンプリング周波数に変換してビデオデータを該出力部に渡すことを特徴とするデジタル映像再生装置。
【請求項２９】
前記変換部は、固有フォーマットが基本フォーマットと同一である場合、該固有フォーマットを維持しつつ、固有フィールド周波数と基本フィールド周波数との比に応じサンプリング周波数を変換してビデオデータを該出力部に渡すことを特徴とする請求項２８記載のデジタル映像再生装置。
【請求項３０】
前記変換部は、固有フォーマットが基本フォーマットと同一である場合、画枠に入る有効データをそのまま残して該固有フォーマットを維持しつつ、画枠に入らない無効データを調整してサンプリング周波数を変換することを特徴とする請求項２９記載のデジタル映像再生装置。
【請求項３１】
前記変換部は、固有フォーマットが基本フォーマットと異なる場合、該基本フォーマットに適合していたビデオデータを該固有フォーマットに戻した上で、固有フィールド周波数と基本フィールド周波数との比に応じサンプリング周波数を変換してビデオデータを該出力部に渡すことを特徴とする請求項２８記載のデジタル映像再生装置。
【請求項３２】
前記変換部は、固有フォーマットの画枠に含まれるデータのライン数が基本フォーマットの画枠に含まれるデータのライン数と異なる場合、該画枠に含まれるデータのライン数を調整してビデオデータを該固有フォーマットにもどすことを特徴とする請求項３１記載のデジタル映像再生装置。
【請求項３３】
所定のサンプリング周波数及び固有フィールド周波数を有すると共に、固有のデータ配列及びビット配列をフィールド単位で規定する固有フォーマットに基づいたオーディオデータを受け入れ、少なくとも該オーディオデータのベースバンド処理を行う入力手順と、
所定のサンプリング周波数及び基本フィールド周波数を有し基本のデータ配列及びビット配列をフィールド単位で規定する基本フォーマットに基づいたオーディオデータを処理するようにプログラムされており、サンプリング周波数に応じた動作クロックに従って基本フォーマットに適合したオーディオデータのエラー訂正用の符号化処理を行う処理手順と、
該処理手順から渡されたオーディオデータを記録媒体に書き込む出力手順とからなるデジタル音声記録方法において、
オーディオデータの固有フィールド周波数が基本フィールド周波数と異なり且つ固有フォーマットが基本フォーマットと異なる時、該入力手順と該処理手順との間で変換手順を行い、固有フォーマットを基本フォーマットに適合させつつ、固有フィールド周波数と基本フィールド周波数との比に応じて該サンプリング周波数を変換してオーディオデータを該処理手順に渡し、
前記処理手順は、該変換されたサンプリング周波数に応じた動作クロックに従って該基本フォーマットに適合したオーディオデータのエラー訂正用の符号化処理を行うことを特徴とするデジタル音声記録方法。
【請求項３４】
あるサンプリング周波数及び固有フィールド周波数を有すると共に、基本のデータ配列及びビット配列をフィールド単位で規定する基本フォーマットに適合されたオーディオデータを記録媒体から読込む入力手順と、
所定のサンプリング周波数及び基本フィールド周波数を有すると共に基本フォーマットに基づいたオーディオデータを処理するようにプログラムされており、サンプリング周波数に応じた動作クロックに従って基本フォーマットに適合したオーディオデータの少なくともエラー訂正用の符号化処理を行う処理手順と、
該処理手順から渡されたオーディオデータの少なくともベースバンド処理を行った上で該オーディオデータを再生デバイスに供給する出力手順とからなるデジタル音声再生方法において、
前記処手順は、該読み込んだオーディオデータのサンプリング周波数に応じた動作クロックに従って、該基本フォーマットに適合したオーディオデータのエラー訂正用の復号化処理を行い、
該読込んだオーディオデータの固有フィールド周波数が基本フィールド周波数と異なり且つ固有フォーマットが基本フォーマットと異なる時、該処理手順と該出力手順との間で変換手順を行い、基本フォーマットに適合していた該オーディオデータを固有フォーマットに戻すと共に、固有フィールド周波数と基本フィールド周波数との比に応じて該読み込んだオーディオデータのサンプリング周波数を所定のサンプリング周波数に変換してオーディオデータを該出力手順に渡すことを特徴とするデジタル音声再生方法。
【請求項３５】
所定のサンプリング周波数及び固有フィールド周波数を有し画枠に関する固有フォーマットに基づいたビデオデータを受け入れ、少なくとも該ビデオデータのベースバンド処理を行う入力手順と、
所定のサンプリング周波数及び基本フィールド周波数を有し画枠に関する基本フォーマットに基づいたビデオデータを処理するようにプログラムされており、サンプリング周波数に応じた動作クロックに従って基本フォーマットに適合したビデオデータの圧縮処理及びエラー訂正用の符号化処理を行う処理手順と、
該処理手順から渡されたビデオデータを記録媒体に書き込む出力手順とからなるデジタル映像記録方法において、
ビデオデータの固有フィールド周波数が基本フィールド周波数と異なる時、該入力手順と該処理手順との間で変換手順を行い、固有フォーマットを基本フォーマットに適合させつつ、固有フィールド周波数と基本フィールド周波数との比に応じて該サンプリング周波数を変換してビデオデータを該処理手順に渡し、
前記処理手順は、該変換されたサンプリング周波数に応じた動作クロックに従って、該基本フォーマットに適合したビデオデータの圧縮処理及びエラー訂正用の符号化処理を行うことを特徴とするデジタル映像記録方法。
【請求項３６】
あるサンプリング周波数及び固有フィールド周波数を有し画枠に関する基本フォーマットに適合されたビデオデータを記録媒体から読み込む入力手順と、
所定のサンプリング周波数及び基本フィールド周波数を有し基本フォーマットに基づいたビデオデータを処理するようにプログラムされており、サンプリング周波数に応じた動作クロックに従って基本フォーマットに適合したビデオデータのエラー訂正用復号化処理及び伸張処理を行う処理手順と、
該処理手順から渡されたビデオデータの少なくともベースバンド処理を行った上で該ビデオデータを再生デバイスに供給する出力手順とを行うデジタル映像再生方法において、
前記処理手順は、該読み込んだビデオデータのサンプリング周波数に応じた動作クロックに従って、該基本フォーマットに適合したビデオデータのエラー訂正用復号化処理及び伸張処理を行い、
該読み込んだビデオデータの固有フィールド周波数が基本フィールド周波数と異なる時、該処理手順と該出力手順との間で変換手順を行い、基本フォーマットに適合していた該ビデオデータを固有フォーマットに戻すと共に、固有フィールド周波数と基本フィールド周波数との比に応じて該読み込んだビデオデータのサンプリング周波数を所定のサンプリング周波数に変換してビデオデータを該出力手順に渡すことを特徴とするデジタル映像再生方法。
【請求項３７】
デジタル音声記録装置によって実行され、一連の手順からなるデジタル音声記録方法を実現するコンピュータプログラムを格納するプログラム媒体であって、
前記コンピュータプログラムは、所定のサンプリング周波数及び固有フィールド周波数を有すると共に、固有のデータ配列及びビット配列をフィールド単位で規定する固有フォーマットに基づいたオーディオデータを受け入れ、少なくとも該オーディオデータのベースバンド処理を行う入力手順と、
所定のサンプリング周波数及び基本フィールド周波数を有し基本のデータ配列及びビット配列をフィールド単位で規定する基本フォーマットに基づいたオーディオデータを処理するようにプログラムされており、サンプリング周波数に応じた動作クロックに従って基本フォーマットに適合したオーディオデータのエラー訂正用の符号化処理を行う処理手順と、
該処理手順から渡されたオーディオデータを記録媒体に書き込む出力手順とを含み、
オーディオデータの固有フィールド周波数が基本フィールド周波数と異なり且つ固有フォーマットが基本フォーマットと異なる時、該入力手順と該処理手順との間で変換手順を行い、固有フォーマットを基本フォーマットに適合させつつ、固有フィールド周波数と基本フィールド周波数との比に応じて該サンプリング周波数を変換してオーディオデータを該処理手順に渡し、
前記処理手順は、該変換されたサンプリング周波数に応じた動作クロックに従って該基本フォーマットに適合したオーディオデータのエラー訂正用の符号化処理を行うことを特徴とするコンピュータプログラムを格納したプログラム媒体。
【請求項３８】
デジタル音声再生装置によって実行され、一連の手順からなるデジタル音声再生方法を実現するコンピュータプログラムを格納するプログラム媒体であって、
前記コンピュータプログラムは、あるサンプリング周波数及び固有フィールド周波数を有すると共に、基本のデータ配列及びビット配列をフィールド単位で規定する基本フォーマットに適合されたオーディオデータを記録媒体から読込む入力手順と、
所定のサンプリング周波数及び基本フィールド周波数を有すると共に基本フォーマットに基づいたオーディオデータを処理するようにプログラムされており、サンプリング周波数に応じた動作クロックに従って基本フォーマットに適合したオーディオデータの少なくともエラー訂正用の符号化処理を行う処理手順と、
該処理手順から渡されたオーディオデータの少なくともベースバンド処理を行った上で該オーディオデータを再生デバイスに供給する出力手順とを含み、
前記処手順は、該読み込んだオーディオデータのサンプリング周波数に応じた動作クロックに従って、該基本フォーマットに適合したオーディオデータのエラー訂正用の復号化処理を行い、
該読込んだオーディオデータの固有フィールド周波数が基本フィールド周波数と異なり且つ固有フォーマットが基本フォーマットと異なる時、該処理手順と該出力手順との間で変換手順を行い、基本フォーマットに適合していた該オーディオデータを固有フォーマットに戻すと共に、固有フィールド周波数と基本フィールド周波数との比に応じて該読み込んだオーディオデータのサンプリング周波数を所定のサンプリング周波数に変換してオーディオデータを該出力手順に渡すことを特徴とするコンピュータプログラムを格納したプログラム媒体。
【請求項３９】
デジタル映像記録装置によって実行され、一連の手順からなるデジタル映像記録方法を実現するコンピュータプログラムを格納するプログラム媒体であって、
前記コンピュータプログラムは、所定のサンプリング周波数及び固有フィールド周波数を有し画枠に関する固有フォーマットに基づいたビデオデータを受け入れ、少なくとも該ビデオデータのベースバンド処理を行う入力手順と、
所定のサンプリング周波数及び基本フィールド周波数を有し画枠に関する基本フォーマットに基づいたビデオデータを処理するようにプログラムされており、サンプリング周波数に応じた動作クロックに従って基本フォーマットに適合したビデオデータの圧縮処理及びエラー訂正用の符号化処理を行う処理手順と、
該処理手順から渡されたビデオデータを記録媒体に書き込む出力手順とを含み、
ビデオデータの固有フィールド周波数が基本フィールド周波数と異なる時、該入力手順と該処理手順との間で変換手順を行い、固有フォーマットを基本フォーマットに適合させつつ、固有フィールド周波数と基本フィールド周波数との比に応じて該サンプリング周波数を変換してビデオデータを該処理手順に渡し、
前記処理手順は、該変換されたサンプリング周波数に応じた動作クロックに従って、該基本フォーマットに適合したビデオデータの圧縮処理及びエラー訂正用の符号化処理を行うことを特徴とするコンピュータプログラムを格納したプログラム媒体。
【請求項４０】
デジタル映像再生装置によって実行され、一連の手順からなるデジタル映像再生方法を実現するコンピュータプログラムを格納するプログラム媒体であって、
前記コンピュータプログラムは、あるサンプリング周波数及び固有フィールド周波数を有し画枠に関する基本フォーマットに適合されたビデオデータを記録媒体から読み込む入力手順と、
所定のサンプリング周波数及び基本フィールド周波数を有し基本フォーマットに基づいたビデオデータを処理するようにプログラムされており、サンプリング周波数に応じた動作クロックに従って基本フォーマットに適合したビデオデータのエラー訂正用復号化処理及び伸張処理を行う処理手順と、
該処理手順から渡されたビデオデータの少なくともベースバンド処理を行った上で該ビデオデータを再生デバイスに供給する出力手順とを含み、
前記処理手順は、該読み込んだビデオデータのサンプリング周波数に応じた動作クロックに従って、該基本フォーマットに適合したビデオデータのエラー訂正用復号化処理及び伸張処理を行い、
該読み込んだビデオデータの固有フィールド周波数が基本フィールド周波数と異なる時、該処理手順と該出力手順との間で変換手順を行い、基本フォーマットに適合していた該ビデオデータを固有フォーマットに戻すと共に、固有フィールド周波数と基本フィールド周波数との比に応じて該読み込んだビデオデータのサンプリング周波数を所定のサンプリング周波数に変換してビデオデータを該出力手順に渡すことを特徴とするコンピュータプログラムを格納したプログラム媒体。
【発明の詳細な説明】
【０００１】
【発明の属する技術分野】
本発明はあるフィールド周波数に対応したオーディオデータやビデオデータの記録再生装置が存在する時に、そのシステムを基本として異なるフィールド周波数に対応する記録再生装置を作る際に、装置を簡素化する方式に関する。例えば、ＶＴＲ記録再生装置のオーディオ部分やビデオ部分を簡素化する方式に関する。但し、本発明は、ＶＴＲに限られるものではない。
【０００２】
【従来の技術】
ＶＴＲ記録再生装置は、複数の異なるテレビジョンスタンダードの信号を記録、再生する為に、例えば日本、米国、欧州のそれぞれのＨＤＴＶ方式に対応が可能なデジタル磁気記録再生装置が必要である。現在のテレビジョンよりも高精細な画像を提供するＨＤＴＶは、日本が世界に先がけて開発した。日本のＨＤＴＶ方式はハイビジョンと呼ばれ走査線数が１１２５本、フィールド周波数が６０Ｈｚと決められている。一方、欧州及び米国では日本方式とは異なる方式のＨＤＴＶとなっている。例えば、欧州方式は、フィールド周波数が５０Ｈｚである。
【０００３】
この様にテレビジョン方式が異なって、番組を制作したり、送出したりする機材がそれぞれに異なると、それぞれに個別の機材を開発し、製造しなければならないため、コストが高くなってしまう。又、他の方式で制作されたソフトを上映するためには、それぞれの方式に適合したＶＴＲを用意し、別途設けたフォーマット変換装置で信号を変換した後、記録し直す必要があるため、手間も費用も重んでしまう。
【０００４】
そもそも、ＶＴＲは制作や送出をする際の中心となる機材の１つであり、一般に放送用のＶＴＲは高価であるため、異なるＨＤＴＶ方式で共通のテープトランスポートや信号処理回路及びカセットやテープが使用できれば機器コストやランニングコストの低減と成るため使用者にとって利益が大きい。又、同じＶＴＲで他の方式で記録したテープの再生が可能であれば各国間の番組変換が容易に低コストで行えるというメリットがある。
【０００５】
【発明が解決しようとする課題】
しかるに従来の磁気記録再生装置では、異なるＨＤＴＶ方式による高精細な画像とともに音声を、共通の機構で記録再生できる装置はなかった。異なる周波数に対応する装置を考える場合には異なる周波数それぞれ別々にフォーマットを作り、それぞれのフィールド周波数に対応する処理装置が必要であった。例えば６０Ｆｉｅｌｄ／ｓ、５０Ｆｉｅｌｄ／ｓそれぞれの装置で共にオーディオ入出力サンプリング周波数が４８ＫＨｚ、サンプルあたりビット数２４ｂｉｔであった場合には６０Ｆｉｅｌｄ／ｓでは８００ｓａｍｐｌｅ／ｆｉｅｌｄ×２４ｂｉｔ／ｓａｍｐｌｅでオーディオフォーマットを考えなければならないし、５０Ｆｉｅｌｄ／ｓでは９６０ｓａｍｐｌｅ／ｆｉｅｌｄ×２４ｂｉｔ／ｓａｍｐｌｅでオーディオフォーマットを考えなければならない。フィールドあたりの総ビット数は８００×２４＝１９２００ｂｉｔ／ｆｉｅｌｄと９６０×２４＝２３０４０ｂｉｔ／ｆｉｅｌｄと大きな差がある。よって、異なるフィールド周波数に対応する装置はそれぞれ全く違ったフォーマット、全く別の装置にならざるをえなかった。
【０００６】
又，ビデオの画枠がそれぞれのフィールド周波数で違う。よって、異なるフィールド周波数に対応する装置はそれぞれ全く違ったフォーマット、全く別の装置にならざるをえなかった。
【０００７】
そこで本発明は、あるフィールド周波数に対応する基本装置となるデジタル音声記録再生装置が存在する場合、異なるフィールド周波数のオーディオデータを基本装置のフォーマットに合うようにデータ変換し、適切な処理レートに変更することにより、基本装置を基に異なるフィールド周波数に対応する装置を実現することを目的とする。
【０００８】
又本発明は、あるフィールド周波数に対応した基本装置となるデジタル映像記録再生装置が存在する場合、異なるフィールド周波数のビデオデータを基本装置のフォーマットに合うようにデータ変換し、適切な処理レートに変更することにより、基本装置を基に異なるフィールド周波数に対応する装置を実現することを目的とする。
【０００９】
【課題を解決するための手段】
上述した従来の技術の課題を解決し、本発明の目的を達成する為に、以下の手段を講じた。即ち、本発明の第一面によれば、所定のサンプリング周波数及び固有フィールド周波数を有すると共に、固有のデータ配列及びビット配列をフィールド単位で規定する固有フォーマットに基づいたオーディオデータを受け入れ、少なくとも該オーディオデータのベースバンド処理を行う入力部と、所定のサンプリング周波数及び基本フィールド周波数を有し基本のデータ配列及びビット配列をフィールド単位で規定する基本フォーマットに基づいたオーディオデータを処理するように設計されており、サンプリング周波数に応じたクロックで動作し基本フォーマットに適合したオーディオデータのエラー訂正用の符号化処理を行う処理部と、該処理部から出力されたオーディオデータを記録媒体に書き込む出力部とからなるデジタル音声記録装置において、該入力部と該処理部との間に変換部が配されており、オーディオデータの固有フィールド周波数が基本フィールド周波数と異なり且つ固有フォーマットが基本フォーマットと異なる時、前記変換部は、固有フォーマットを基本フォーマットに適合させつつ、固有フィールド周波数と基本フィールド周波数との比に応じて該サンプリング周波数を変換してオーディオデータを該処理部に渡し、前記処理部は、該変換されたサンプリング周波数に応じたクロックで動作し、該基本フォーマットに適合したオーディオデータのエラー訂正用の符号化処理を行うことを特徴とする。具体的には、前記変換部は、一フィールド当りのサンプル数と一サンプルのビット数との積で決まる一フィールド当りの総ビット数を維持しつつ、一フィールド当りのサンプル数と一サンプルのビット数を組替えて固有フォーマットを基本フォーマットに適合させると共に、一フィールド当りのサンプル数を変えることで該サンプリング周波数を変換する。更に、一フィールド当りのサンプル数と一サンプルのビット数との積で決まる一フィールド当りの総ビット数が固有フォーマットと基準フォーマットで異なる場合、前記変換部は、入力されたオーディオデータのサンプリング周波数を変換して一フィールド当りのサンプル数を補正し、以って一フィールド当りの補正されたサンプル数と一サンプルのビット数との積で決まる一フィールド当りの補正された総ビット数を、基準フォーマットで決まる一フィールド当りの総ビット数に合わせる。或いは、一フィールド当りのサンプル数と一サンプルのビット数との積で決まる一フィールド当りの総ビット数が固有フォーマットと基準フォーマットで異なる場合、前記変換部は、不足するビット数に見合うダミーのデータを固有フォーマットに付加して一フィールド当りの総ビット数を補正し、以って固有フォーマット側の総ビット数を基準フォーマット側の総ビット数に合わせても良い。好ましくは、前記変換部は、シリアルに配列したサンプルのビットストリームからなるオーディオデータを固有フォーマット側のビット数単位でＦＩＦＯに書込み且つ基本フォーマット側のビット数単位で読出して、一フィールド当りのサンプル数と一サンプルのビット数を組替え固有フォーマットを基本フォーマットに適合させる。この場合、前記変換部は、固有フィールド周波数に同期して該ＦＩＦＯに対するオーディオデータの書込み及び読出しを制御し、以って固有フォーマットを基本フォーマットに適合させる。
【００１０】
一態様では、前記処理部は該変換部を変換手段として内蔵しているとともにオーディオデータのエラー訂正用の符号化処理を行なう符号化手段を含んでおり、オーディオデータの固有フィールド周波数が基本フィールド周波数と異なり且つ固有フォーマットが基本フォーマットと異なる時、前記変換手段は、固有フォーマットを変換し基本フォーマットに適合させた上でオーディオデータを該符号化手段に渡し、前記符号化手段は、所定のサンプリング周波数に応じたクロックで動作しつつ、固有フィールド周波数と基本フィールド周波数との比に応じた割合で随時休止を入れながら該基本フォーマットに適合されたオーディオデータのエラー訂正用の符号化処理を行う。具体的には、前記変換手段は、一フィールド当りのサンプル数と一サンプルのビット数との積で決まる一フィールド当りの総ビット数を維持しつつ、一フィールド当りのサンプル数と一サンプル当りのビット数を組替えて固有フォーマットを基本フォーマットに変換する。更に具体的には、前記変換手段は基本フォーマット側の一サンプル当りビット数に対応したビット数のレジスタを備え、シリアルに配列したサンプルのビットストリームからなる固有フォーマットのオーディオデータをサイクリックに該レジスタに書込む一方、固有フォーマット側の一サンプル当りビット数と基本フォーマット側の一サンプル当りビット数との比に応じた割合で随時休止を入れながら該レジスタからサイクリックにオーディオデータを読み出して、一フィールド当りのサンプル数と一サンプルのビット数を組替え固有フォーマットを基本フォーマットに変換する。
【００１１】
本発明の第二面によれば、あるサンプリング周波数及び固有フィールド周波数を有すると共に、基本のデータ配列及びビット配列をフィールド単位で規定する基本フォーマットに適合されたオーディオデータを記録媒体から読込む入力部と、所定のサンプリング周波数及び基本フィールド周波数を有すると共に基本フォーマットに基づいたオーディオデータを処理するように設計されており、サンプリング周波数に応じたクロックで動作し基本フォーマットに適合したオーディオデータの少なくともエラー訂正用の復号化処理を行う処理部と、該処理部から出力されたオーディオデータの少なくともベースバンド処理を行った上で該オーディオデータを再生デバイスに供給する出力部とからなるデジタル音声再生装置において、前記処理部は、該読み込んだオーディオデータのサンプリング周波数に応じたクロックで動作可能であり、該基本フォーマットに適合したオーディオデータのエラー訂正用の復号化処理を行い、該処理部と該出力部との間に変換部が配されており、該読込んだオーディオデータの固有フィールド周波数が基本フィールド周波数と異なり且つ固有フォーマットが基本フォーマットと異なる時、前記変換部は、基本フォーマットに適合していた該オーディオデータを固有フォーマットに戻すと共に、固有フィールド周波数と基本フィールド周波数との比に応じて該読み込んだオーディオデータのサンプリング周波数を所定のサンプリング周波数に変換してオーディオデータを該出力部に渡すことを特徴とする。具体的には、前記変換部は、一フィールド当りのサンプル数と一サンプルのビット数との積で決まる一フィールド当りの総ビット数を維持しつつ、一フィールド当りのサンプル数と一サンプルのビット数を組替えて該オーディオデータを基本フォーマットから固有フォーマットに戻すと共に、一フィールド当りのサンプル数を変えることで該サンプリング周波数を変換する。尚、一フィールド当りのサンプル数と一サンプルのビット数との積で決まる一フィールド当りの総ビット数が固有フォーマットと基準フォーマットで異なる場合、前記変換部は、一旦該基本フォーマットから近似的に固有フォーマットに戻されたオーディオデータのサンプリング周波数を変換して一フィールド当りのサンプル数を補正し、以ってオーディオデータを最終的に固有フォーマットに変換する。或いは、一フィールド当りのサンプル数と一サンプルのビット数との積で決まる一フィールド当りの総ビット数が固有フォーマットと基準フォーマットで異なる場合、前記変換部は、一旦該基本フォーマットに適合したオーディオデータに余分のダミーデータを付加して近似的に固有フォーマットに戻した後、該ダミーデータを削除してオーディオデータを最終的に固有フォーマットに変換しても良い。好ましくは、前記変換部は、シリアルに配列したサンプルのビットストリームからなるオーディオデータを基本フォーマット側のビット数単位でＦＩＦＯに書込み且つ固有フォーマット側のビット数単位で読出して、一フィールド当りのサンプル数と一サンプルのビット数を組替え基本フォーマットを固有フォーマットに戻す。この場合、前記変換部は、固有フィールド周波数に同期して該ＦＩＦＯに対するオーディオデータの書込み及び読出しを制御し、以って基本フォーマットを固有フォーマットに戻す。
【００１２】
一態様では前記処理部は該変換部を変換手段として内蔵しているとともに、オーディオデータのエラー訂正用の復号化処理を行なう復号化手段を含んでおり、前記復号化手段は、所定のサンプリング周波数に応じたクロックで動作しつつ、固有フィールド周波数と基本フィールド周波数との比に応じた割合で随時休止を入れながら該基本フォーマットに適合したオーディオデータのエラー訂正用の復号化処理を行い、前記変換手段は、該読込んだオーディオデータの固有フィールド周波数が基本フィールド周波数と異なり且つ固有フォーマットが基本フォーマットと異なる時、基本フォーマットに適合していた該オーディオデータを固有フォーマットに戻した上でオーディオデータを該出力部に渡す。具体的には、前記変換手段は、一フィールド当りのサンプル数と一サンプルのビット数との積で決まる一フィールド当りの総ビット数を維持しつつ、一フィールド当りのサンプル数と一サンプルのビット数を組替えて該オーディオデータを基本フォーマットから固有フォーマットに戻す。更に具体的には、前記変換手段は、基本フォーマット側の一サンプル当りビット数に対応したビット数のレジスタを備え、固有フォーマット側の一サンプル当りビット数と基本フォーマット側の一サンプル当りビット数との比に応じた割合で随時休止を入れながら、シリアルに配列したサンプルのビットストリームからなる基本フォーマットのオーディオデータをサイクリックに該レジスタに書込む一方、固有フォーマット側の一サンプル当りビット数で区切りながら該レジスタからサイクリックにオーディオデータを読み出して、一フィールド当りのサンプル数と一サンプルのビット数を組替えて基本フォーマットを固有フォーマットに戻す。尚、オーディオデータの順方向再生と逆方向再生を切り替えて行う場合、前記変換手段は、該レジスタに対してオーディオデータの書き込み及び読み出しを行う時、一方ではビット列のＭＳＢを先頭にし他方ではＬＳＢを先頭にする。
【００１３】
別の態様では、前記変換部は、一フィールド当りのサンプル数と一サンプルのビット数との積で決まる一フィールド当りの総ビット数を維持しつつ、一フィールド当りのサンプル数と一サンプルのビット数を組替えて該オーディオデータを基本フォーマットから固有フォーマットに戻す。この場合、更にシャトル再生制御部を備えており、異なるフィールドに属するオーディオデータを混合してシャトル再生を行う場合、該変換部で固有フォーマットに戻されたサンプルのうち正しいビット列を含む有効サンプルのみを該出力部に渡すことを特徴とする。好ましくは、前記シャトル再生制御部は、固有フォーマットに戻されたサンプルのうち正しいビット列を有さない無効サンプルに代えて、有効サンプルを補間して得られた代替サンプルを該出力部に渡す。又、前記シャトル再生制御部は、固有フォーマットに戻されたサンプルのうち正しいビット列と正しくないビット列を含んだ無効サンプルの少なくとも一部につき、正しくないビット列を０で置換して有効サンプルに転換し該出力部に渡す様にしても良い。
【００１４】
本発明の第三面によれば、所定のサンプリング周波数及び固有フィールド周波数を有し画枠に関する固有フォーマットに基づいたビデオデータを受け入れ、少なくとも該ビデオデータのベースバンド処理を行う入力部と、所定のサンプリング周波数及び基本フィールド周波数を有し画枠に関する基本フォーマットに基づいたビデオデータを処理するように設計されており、サンプリング周波数に応じたクロックで動作し基本フォーマットに適合したビデオデータの圧縮処理及びエラー訂正用の符号化処理を行う処理部と、該処理部から出力されたビデオデータを記録媒体に書き込む出力部とからなるデジタル映像記録装置において、該入力部と該処理部との間に変換部が配されており、ビデオデータの固有フィールド周波数が基本フィールド周波数と異なる時、前記変換部は、固有フォーマットを基本フォーマットに適合させつつ、固有フィールド周波数と基本フィールド周波数との比に応じて該サンプリング周波数を変換してビデオデータを該処理部に渡し、前記処理部は、該変換されたサンプリング周波数に応じたクロックで動作し、該基本フォーマットに適合したビデオデータの圧縮処理及びエラー訂正用の符号化処理を行うことを特徴とする。具体的には、前記変換部は、固有フォーマットが基本フォーマットに一致する場合、該固有フォーマットを維持しつつ、固有フィールド周波数と基本フィールド周波数との比に応じ該サンプリング周波数を変換してビデオデータを該処理部に渡す。更に具体的には、前記変換部は、固有フォーマットが基本フォーマットに一致する場合、画枠に入る有効データをそのまま保存して該固有フォーマットを維持しつつ、画枠に入らない無効データを調整して該サンプリング周波数を変換する。又、前記変換部は、固有フォーマットが基本フォーマットと異なる場合、該固有フォーマットを該基本フォーマットに変換した上で、固有フィールド周波数と基本フィールド周波数との比に応じ該サンプリング周波数を変換してビデオデータを該処理部に渡す。具体的には、前記変換部は、固有フォーマットの画枠に含まれるデータのライン数が基本フォーマットの画枠に含まれるデータのライン数と異なる場合、該画枠に含まれるデータのライン数を調整して該固有フォーマットを該基本フォーマットに変換する。
【００１５】
本発明の第四面によれば、あるサンプリング周波数及び固有フィールド周波数を有し画枠に関する基本フォーマットに適合されたビデオデータを記録媒体から読み込む入力部と、所定のサンプリング周波数及び基本フィールド周波数を有し基本フォーマットに基づいたビデオデータを処理するように設計されており、サンプリング周波数に応じたクロックで動作して基本フォーマットに適合したビデオデータのエラー訂正用復号化処理及び伸張処理を行う処理部と、該処理部から出力されたビデオデータの少なくともベースバンド処理を行った上で該ビデオデータを再生デバイスに供給する出力部とからなるデジタル映像再生装置において、前記処理部は、該読み込んだビデオデータのサンプリング周波数に応じたクロックで動作可能であり、該基本フォーマットに適合したビデオデータのエラー訂正用復号化処理及び伸張処理を行い、該処理部と該出力部との間に変換部が配されており、該読み込んだビデオデータの固有フィールド周波数が基本フィールド周波数と異なる時、前記変換部は、基本フォーマットに適合していた該ビデオデータを固有フォーマットに戻すと共に、固有フィールド周波数と基本フィールド周波数との比に応じて該読み込んだビデオデータのサンプリング周波数を所定のサンプリング周波数に変換してビデオデータを該出力部に渡す。具体的には、前記変換部は、固有フォーマットが基本フォーマットと同一である場合、該固有フォーマットを維持しつつ、固有フィールド周波数と基本フィールド周波数との比に応じサンプリング周波数を変換してビデオデータを該出力部に渡す。更に具体的には、前記変換部は、固有フォーマットが基本フォーマットと同一である場合、画枠に入る有効データをそのまま残して該固有フォーマットを維持しつつ、画枠に入らない無効データを調整してサンプリング周波数を変換する。又、前記変換部は、固有フォーマットが基本フォーマットと異なる場合、該基本フォーマットに適合していたビデオデータを該固有フォーマットに戻した上で、固有フィールド周波数と基本フィールド周波数との比に応じサンプリング周波数を変換してビデオデータを該出力部に渡す。例えば、前記変換部は、固有フォーマットの画枠に含まれるデータのライン数が基本フォーマットの画枠に含まれるデータのライン数と異なる場合、該画枠に含まれるデータのライン数を調整してビデオデータを該固有フォーマットにもどす。
【００１６】
オーディオに関し本装置の記録側では、オーディオデータの変換部から記録再生媒体に近いブロックになるオーディオ処理部のクロックは基装置と対象装置のフィールド周波数比クロックを入力する。例えば、フィールド周波数６０Ｆｉｅｌｄ／ｓ、オーディオ処理クロック周波数４８ＫＨｚのＶＴＲを基装置として、フィールド周波数５０Ｆｉｅｌｄ／ｓのＶＴＲを考えた場合にはオーディオ処理クロック周波数を４８ＫＨｚ×５０／６０＝４０ＫＨｚとする。
【００１７】
オーディオデータの変換部から装置の入力部に近い（媒体から遠い）ブロックのオーディオ処理クロックは装置の入力クロック周波数とする。例えば、基となる装置が６０Ｆｉｅｌｄ／ｓでオーディオデータが１フィールドあたり８００Ｓａｍｐｌｅ／ｆｉｅｌｄ×２４ｂｉｔ／Ｓａｍｐｌｅ（サンプリング周波数４８ＫＨｚ）として、それを基とする５０Ｆｉｅｌｄ／ｓの装置では１フィールドあたり９６０Ｓａｍｐｌｅ／ｆｉｅｌｄ×２０ｂｉｔ／Ｓａｍｐｌｅ（サンプリング周波数４８ＫＨｚ）で記録する場合、オーディオデータの変換部から装置の入力部に近い（媒体から遠い）ブロックは共に４８ＫＨｚのクロックで処理する。よって、両装置共にベースバンド処理は４８ＫＨｚであり、共に同じ回路が使える。
【００１８】
オーディオデータ変換部の装置入力部に近い側（媒体から遠い側）はオーディオデータのフィールドあたり総ビット数が、基となるフィールド周波数の装置と同じになるようなフィールドあたりサンプル数、サンプルあたりビット数にする。例えば、基となるフィールド周波数６０Ｆｉｅｌｄ／ｓの装置でオーディオが１フィールドあたり８００Ｓａｍｐｌｅ／ｆｉｅｌｄ×２４ｂｉｔ／Ｓａｍｐｌｅで記録されているとしたら、フィールド周波数５０Ｆｉｅｌｄ／ｓの装置では９６０Ｓａｍｐｌｅ／ｆｉｅｌｄ×２０ｂｉｔ／Ｓａｍｐｌｅで記録する。共にフィールドあたり総ビット数は１９２００ｂｉｔ／ｓとなる。この例のようにサンプルあたりのビット数を基の装置より変えることによって共に装置の入力サンプリング周波数を同じにすることが出来る。上記例は両フィールド周波数装置共にサンプリング周波数４８ＫＨｚである。
【００１９】
上記のようにオーディオデータ変換部の装置入力部に近い側のフィールドあたりサンプル数、サンプルあたりビット数を決定するわけだが、これが装置入力部のフィールドあたりサンプル数、サンプルあたりビット数と同じであれば処理が簡単になる。しかし、対象フィールド周波数によっては都合の良いフィールドあたりサンプル数、サンプルあたりビット数がない場合がある。また、対象装置の都合によって、装置入力部のフィールドあたりサンプル数、サンプルあたりビット数を任意にしたい場合がある。この場合、装置入力部のフィールドあたりサンプル数、サンプルあたりビット数に近くて基装置の総ビット数と同じになるようなフィールドあたりサンプル数（サンプリング周波数に影響）、サンプルあたりビット数を決める。そしてそのサンプリング周波数になるように装置の入力部からオーディオデータ変換部までの間にオーディオサンプリングレートコンバータを設ける。例えば、基が６０Ｆｉｅｌｄ／ｓの装置でオーディオが１フィールドあたり８００Ｓａｍｐｌｅ／ｆｉｅｌｄ×２４ｂｉｔ／Ｓａｍｐｌｅで記録できるとして、それを基にして４８ｆｉｅｌｄ／ｓの装置でオーディオ入力部を４８ＫＨｚにする場合を考える。４８ｆｉｅｌｄ／ｓの装置ではオーディオが１０００ｓａｍｐｌｅ／ｆｉｅｌｄになる。単純に変換すると８００ｓａｍｐｌｅ／ｆｉｅｌｄ×２４ｂｉｔ／ｓａｍｐｌｅ＝１９２００ｂｉｔ／ｆｉｅｌｄであるので、１０００ｓａｍｐｌｅ／ｆｉｅｌｄ×１９．２ｂｉｔ／ｓａｍｐｌｅとなる。１サンプルあたり１９．２ｂｉｔは整数ビット数ではないので実現できない。そこでこれに近くて都合の良いフィールドあたりサンプル数にする。例えば９６０ｓａｍｐｌｅ／ｆｉｅｌｄ×２０ｂｉｔ／ｓａｍｐｌｅにする。しかし、このフィールドあたりサンプル数ではサンプリング周波数が９６０ｓａｍｐｌｅ／ｆｉｅｌｄ×４８ｆｉｅｌｄ／ｓ＝４６０８０ｓａｍｐｌｅ／ｓとなる。そこで、装置の入力部とオーディオデータ変換部の間に４６．０８ＫＨｚ＜−＞４８ＫＨｚのサンプリングレートコンバータを設けて入力部は所望の４８ＫＨｚサンプリングレートとする。この場合、４６．０８ＫＨｚにサンプリングレートコンバートされているが人間の可聴域は一般に２０ＫＨｚなのでサンプリング定理にあてはめてもサンプリング周波数は４０ＫＨｚを越えていれば良く、Ｄ／Ａ、Ａ／Ｄ等の性能を考えても４６．０８ＫＨｚのサンプリング周波数があれば十分であると考えられる。
【００２０】
上記と同じ理由で都合の良いフィールドあたりサンプル数、サンプルあたりビット数がない場合に、サンプリングレートコンバータを使わずに、スタッフィング（意味のないデータ）を足して基となる装置と同じフィールドあたり総ビット数にしてもよい。例えば、フィールド周波数４８Ｆｉｅｌｄ／ｓを考えた場合、１０００ｓａｍｐｌｅ／ｆｉｅｌｄ×１９ｂｉｔ／ｓａｍｐｌｅに２００ｂｉｔのスタッフィング（意味のないデータ）を足して８００ｓａｍｐｌｅ／ｆｉｅｌｄ×２４ｂｉｔ／ｓａｍｐｌｅ＝１９２００ｂｉｔ／ｆｉｅｌｄに変換する。
【００２１】
本発明に係る音声記録装置では、オーディオデータのフォーマット変換処理をＥＣＣエンコード用の処理回路内にて行なうこともできる。オーディオデータのフォーマット変換をＥＣＣエンコード処理回路で行なうわけだが、ＥＣＣエンコード処理回路には、ベースバンド側に使うオーディオクロックのみを入力する。例えば、フィールド周波数６０Ｆｉｅｌｄ／ｓ、ベースバンド側オーディオ処理クロック４８ＫＨｚのＶＴＲを基装置として、フィールド周波数５０Ｆｉｅｌｄ／ｓ、ベースバンド側オーディオ処理クロック４８ＫＨｚのＶＴＲを作る場合にも、オーディオクロックは４８ＫＨｚのみを入力する。４８ＫＨｚ×５０／６０＝４０ＫＨｚは必要ない。
【００２２】
オーディオデータのフォーマット変換はＥＣＣエンコード処理回路への入力直後に行なう。オーディオデータの変換は、基となる記録装置のオーディオベースバンドサンプルあたりビット数分のレジスタを設けて、そのレジスタにＬＳＢファストまたはＭＳＢファストでサイクリックに書込み、読出しを行なうことで、オーディオデータのフォーマット変換を行なう。また、読出し側は書込み側データレートと合わせるために読出しの休みを入れる。例えば、フィールド周波数６０Ｆｉｅｌｄ／ｓ、８００ｓａｍｐｌｅ／ｆｉｅｌｄ×２４ｂｉｔ／ｓａｍｐｌｅを基とする装置に対してフィールド周波数５０Ｆｉｅｌｄ／ｓ、９６０ｓａｍｐｌｅ／ｆｉｅｌｄ×２０ｂｉｔ／ｓａｍｐｌｅの装置を作る場合には、ＥＣＣエンコード処理回路で２４個（２４ｂｉｔ分）のレジスタを設け、そこでＬＳＢファストに２０ｂｉｔ／ｓａｍｐｌｅでレジスタにサイクリックに書込み、ＬＳＢファストにて２４ｂｉｔ／ｓａｍｐｌｅでレジスタから読出し、オーディオデータのフォーマット変換を実現する。読出し側は６ｓａｍｐｌｅに１回は読出しを休む。
【００２３】
オーディオデータのフォーマット変換以降の回路へのコントロールは、オーディオデータのフォーマット変換用レジスタ読出しに応じて延びるようにする。つまり、オーディオデータのフォーマット変換用レジスタ読出しの休みに応じてコントロール信号のための内部カウンタ動作を休むようにする。例えばフィールド周波数６０Ｆｉｅｌｄ／ｓを基とする装置に対してフィールド周波数５０Ｆｉｅｌｄ／ｓの装置を作る場合には、６ｓａｍｐｌｅに１ｓａｍｐｌｅオーディオデータのフォーマット変換レジスタの読出しが休みになる。これに合わせてコントロール信号用内部カウンタも休む。よって、コントロール信号の周期は６０Ｆｉｅｌｄ／ｓの６／５の周期になり、６０Ｆｉｅｌｄ／ｓで８００ｓａｍｐｌｅ（１フィールド）で行なっていた処理が５０Ｆｉｅｌｄ／ｓでは９６０ｓａｍｐｌｅ（１フィールド）かかって同じ処理をすることになる。
【００２４】
一方、本装置の再生側では、オーディオデータ変換部から記録再生媒体に近いブロックのオーディオ処理部クロックは基装置と対象装置のフィールド周波数比クロックを入力する。例えば、フィールド周波数６０Ｆｉｅｌｄ／ｓ、オーディオ処理クロック周波数４８ＫＨｚのＶＴＲを基装置として、フィールド周波数５０Ｆｉｅｌｄ／ｓのＶＴＲを考えた場合にはオーディオ処理クロック周波数を４８ＫＨｚ×５０／６０＝４０ＫＨｚとする。
【００２５】
オーディオデータ変換部から装置の出力部に近い（媒体から遠い）ブロックのオーディオ処理クロックは装置の出力クロック周波数とする。例えば、基となる装置が６０Ｆｉｅｌｄ／ｓでオーディオが１フィールドあたり８００Ｓａｍｐｌｅ／ｆｉｅｌｄ×２４ｂｉｔ／Ｓａｍｐｌｅ（サンプリング周波数４８ＫＨｚ）として、それを基とする５０Ｆｉｅｌｄ／ｓの装置では１フィールドあたり９６０Ｓａｍｐｌｅ／ｆｉｅｌｄ×２０ｂｉｔ／Ｓａｍｐｌｅ（サンプリング周波数４８ＫＨｚ）で記録しているとすると、オーディオデータ変換部から装置の出力部に近い（媒体から遠い）ブロックは４８ＫＨｚのクロックで処理する。よって、両装置共にベースバンド処理は４８ＫＨｚであり、共に同じ回路が使える。
【００２６】
オーディオデータ変換部の装置出力部に近い側（媒体から遠い側）はオーディオデータのフィールドあたり総ビット数が、基となるフィールド周波数装置と同じになるようなフィールドあたりサンプル数、サンプルあたりビット数にする。例えば、基となるフィールド周波数６０Ｆｉｅｌｄ／ｓの装置でオーディオが１フィールドあたり８００Ｓａｍｐｌｅ／ｆｉｅｌｄ×２４ｂｉｔ／Ｓａｍｐｌｅで記録されているとしたら、フィールド周波数５０Ｆｉｅｌｄ／ｓの装置では９６０Ｓａｍｐｌｅ／ｆｉｅｌｄ×２０ｂｉｔ／Ｓａｍｐｌｅとする。共にフィールドあたり総ビット数は１９２００ｂｉｔ／ｓとなる。この例のようにサンプルあたりのビット数を基の装置より変えることによって共に装置の出力サンプリング周波数を同じにすることが出来る。上記例は両フィールド周波数装置共にサンプリング周波数４８ＫＨｚである。
【００２７】
上記のようにオーディオデータ変換部の装置出力部に近い側のフィールドあたりサンプル数、サンプルあたりビット数を決定するわけだが、これが装置出力部のフィールドあたりサンプル数、サンプルあたりビット数と同じであれば処理が簡単になる。しかし、対象フィールド周波数によっては都合の良いフィールドあたりサンプル数、サンプルあたりビット数がない場合がある。また、対象装置の都合によって、装置出力部のフィールドあたりサンプル数、サンプルあたりビット数を任意にしたい場合がある。この場合、装置出力部のフィールドあたりサンプル数、サンプルあたりビット数に近くて基装置の総ビット数と同じになるようなフィールドあたりサンプル数（サンプリング周波数に影響）、サンプルあたりビット数を決める。そしてそのサンプリング周波数になるように装置の出力部からオーディオデータ変換部までの間にオーディオサンプリングレートコンバーターを設ける。例えば、基が６０Ｆｉｅｌｄ／ｓの装置でオーディオが１フィールドあたり８００Ｓａｍｐｌｅ／ｆｉｅｌｄ×２４ｂｉｔ／Ｓａｍｐｌｅで記録できるとして、それを基にして４８ｆｉｅｌｄ／ｓの装置でオーディオ出力部を４８ＫＨｚにする場合を考える。４８ｆｉｅｌｄ／ｓの装置ではオーディオが１０００ｓａｍｐｌｅ／ｆｉｅｌｄになる。単純に変換すると８００ｓａｍｐｌｅ／ｆｉｅｌｄ×２４ｂｉｔ／ｓａｍｐｌｅ＝１９２００ｂｉｔ／ｆｉｅｌｄであるので、１０００ｓａｍｐｌｅ／ｆｉｅｌｄ×１９．２ｂｉｔ／ｓａｍｐｌｅとなる。１サンプルあたり１９．２ｂｉｔは整数ビット数ではないので実現できない。そこでこれに近くて都合の良いフィールドあたりサンプル数にする。例えば９６０ｓａｍｐｌｅ／ｆｉｅｌｄ×２０ｂｉｔ／ｓａｍｐｌｅにする。しかし、このフィールドあたりサンプル数ではサンプリング周波数が９６０ｓａｍｐｌｅ／ｆｉｅｌｄ×４８ｆｉｅｌｄ／ｓ＝４６０８０ｓａｍｐｌｅ／ｓとなる。そこで、装置の出力部とオーディオデータ変換部の間に４６．０８ＫＨｚ＜−＞４８ＫＨｚのサンプリングレートコンバータを設けて出力部は所望の４８ＫＨｚサンプリングレートとする。この場合、４６．０８ＫＨｚにサンプリングレートコンバートされているが人間の可聴域は一般に２０ＫＨｚなのでサンプリング定理に当てはめてもサンプリング周波数は４０ＫＨｚを越えていれば良く、Ｄ／Ａ、Ａ／Ｄ等の性能を考えても４６．０８ＫＨｚのサンプリング周波数があれば十分であると考えられる。
【００２８】
上記と同じ理由で都合の良いフィールドあたりサンプル数、サンプルあたりビット数がない場合に上記のサンプリングレートコンバータを使わずに、スタッフィング（意味のないデータ）を足して基となる装置と同じフィールドあたり総ビット数にしても良い。例えば、フィールド周波数４８Ｆｉｅｌｄ／ｓを考えた場合、１０００ｓａｍｐｌｅ／ｆｉｅｌｄ×１９ｂｉｔ／ｓａｍｐｌｅに２００ｂｉｔのスタッフィング（意味のないデータ）を足して８００ｓａｍｐｌｅ／ｆｉｅｌｄ×２４ｂｉｔ／ｓａｍｐｌｅ＝１９２００ｂｉｔ／ｆｉｅｌｄに変換する。
【００２９】
データ記録におけるエンコード時には対象装置のオーディオデータをオーディオデータ変換部にてデータ変換を行ない、基となるフィールド周波数装置のベースバンドと同じフィールドあたりサンプル数、サンプルあたりビット数に変換すると同時にサンプリングレートをフィールド周波数比倍に変更する。具体的にはＦＩＦＯがデータ変換に利用でき、サンプリング周波数変換もＦＩＦＯで行なう。例えば、基となる装置が６０Ｆｉｅｌｄ／ｓでオーディオデータが１フィールドあたり８００ｓａｍｐｌｅ／ｆｉｅｌｄ×２４ｂｉｔ／Ｓａｍｐｌｅとして、それを基とする５０Ｆｉｅｌｄ／ｓの装置では１フィールドあたり９６０ｓａｍｐｌｅ／ｆｉｅｌｄ×２０ｂｉｔ／Ｓａｍｐｌｅで記録する装置を考える。５０Ｆｉｅｌｄ／ｓの装置で６Ｓａｍｐｌｅを１処理単位として６ｓａｍｐｌｅ×２０ｂｉｔ／ｓａｍｐｌｅ（４８ＫＨｚ）をオーディオデータ変換部のＦＩＦＯに４８ＫＨｚで書き込んで、ＦＩＦＯ上で５ｓａｍｐｌｅ×２４ｂｉｔ／ｓａｍｐｌｅにデータ並び替えを行ない、４０ＫＨｚ（＝４８ＫＨｚ×５０／６０）で読み出す。このようにすればオーディオデータ変換部で９６０ｓａｍｐｌｅ／ｆｉｅｌｄ×２０ｂｉｔ／ｓａｍｐｌｅ（４８ＫＨｚ）が８００ｓａｍｐｌｅ／ｆｉｅｌｄ×２４ｂｉｔ／ｓａｍｐｌｅ（４０ＫＨｚ）に変換出来る。
【００３０】
データ再生におけるデコード時にはオーディオデータ変換部にてデータ変換を行ない対象フィールド周波数装置に合ったフィールドあたりサンプル数、サンプルあたりビット数に変換すると同時にサンプリングレートをフィールド周波数比倍に変換して元にもどす。具体的にはＦＩＦＯがデータ変換に利用でき，サンプリング周波数変換もＦＩＦＯで行なう。例えば、基となる装置が６０Ｆｉｅｌｄ／ｓでオーディオデータが１フィールドあたり８００Ｓａｍｐｌｅ／ｆｉｅｌｄ×２４ｂｉｔ／Ｓａｍｐｌｅとして、５０Ｆｉｅｌｄ／ｓの装置にて１フィールドあたり９６０Ｓａｍｐｌｅ／ｆｉｅｌｄ×２０ｂｉｔ／Ｓａｍｐｌｅを記録している場合を考える。媒体上では６ｓａｍｐｌｅ×２０ｂｉｔ／ｓａｍｐｌｅ（４８ＫＨｚ）を５ｓａｍｐｌｅ×２４ｂｉｔ／ｓａｍｐｌｅ（４０ＫＨｚ）に変換されて記録されている。再生された５ｓａｍｐｌｅ×２４ｂｉｔ／ｓａｍｐｌｅ（４０ＫＨｚ）をオーディオデータ変換部のＦＩＦＯに４０ＫＨｚで書き込んで、ＦＩＦＯ上で６ｓａｍｐｌｅ×２０ｂｉｔ／ｓａｍｐｌｅにデータ並び替えを行ない、４８ＫＨｚで読み出す。このようにすればオーディオデータ変換部で８００ｓａｍｐｌｅ／ｆｉｅｌｄ×２４ｂｉｔ／ｓａｍｐｌｅ（４０ＫＨｚ）が９６０ｓａｍｐｌｅ／ｆｉｅｌｄ×２０ｂｉｔ／ｓａｍｐｌｅ（４８ＫＨｚ）に変換出来る。
【００３１】
オーディオデータ変換のシーケンス起点はフィールド最初の第一サンプルからとする。例えば、上記の例だとエンコード時フィールド最初の第一サンプルから６ｓａｍｐｌｅ×２０ｂｉｔ／ｓａｍｐｌｅが、変換処理で５ｓａｍｐｌｅ×２４ｂｉｔ／ｓａｍｐｌｅに変換され、デコード時フィールド最初の第一サンプルから５ｓａｍｐｌｅ×２４ｂｉｔ／ｓａｍｐｌｅが、変換処理で６ｓａｍｐｌｅ×２０ｂｉｔ／ｓａｍｐｌｅに変換される。
【００３２】
媒体上のオーディオ記録フォーマットは基となる装置と同じにして、誤り訂正符号化等の処理を基となる装置と全く同じに処理する。例えば基の装置が６０Ｆｉｅｌｄ／ｓでオーディオデータが１フィールドあたり８００Ｓａｍｐｌｅ／ｆｉｅｌｄ×２４ｂｉｔ／Ｓａｍｐｌｅとして、それを基とした５０Ｆｉｅｌｄ／ｓの装置にて１フィールドあたり９６０Ｓａｍｐｌｅ／ｆｉｅｌｄ×２０ｂｉｔ／Ｓａｍｐｌｅで記録する場合、オーディオデータは変換部で９６０ｓａｍｐｌｅ／ｆｉｅｌｄ×２０ｂｉｔ／ｓａｍｐｌｅから８００ｓａｍｐｌｅ／ｆｉｅｌｄ×２４ｂｉｔ／ｓａｍｐｌｅに変換される。変換後のオーディオデータは基となる装置と同じフィールドあたりサンプル数、サンプルあたりビット数であり、これに基となる装置と同じ誤り訂正等の処理をして、オーディオ記録フォーマットは基の装置と同じになるようにして記録する。
【００３３】
本発明に係る音声記録装置では、オーディオデータのフォーマット変換処理をＥＣＣデコード処理回路内にて行なうこともできる。その際、ＥＣＣデコード処理回路にはベースバンド側に使うオーディオクロックのみを入力する。例えば、フィールド周波数６０Ｆｉｅｌｄ／ｓ、ベースバンド側オーディオ処理クロック周波数４８ＫＨｚのＶＴＲを基装置として、フィールド周波数５０Ｆｉｅｌｄ／ｓ、ベースバンド側オーディオ処理クロック周波数４８ＫＨｚのＶＴＲを作る場合にも、オーディオクロックは４８ＫＨｚのみを入力する。４８ＫＨｚ×５０／６０＝４０ＫＨｚは必要ない。
【００３４】
オーディオデータのフォーマット変換はＥＣＣデコード処理回路の出力直前に行なう。オーディオデータの変換は、基となる再生装置のオーディオベースバンドサンプルあたりビット数分のレジスタを設けて、そのレジスタにＬＳＢファストまたはＭＳＢファストでサイクリックに書込み、読出しを行なうことでオーディオデータのフォーマット変換を行なう。また、書込み側は読出し側データレートと合わせるために書込みの休みを適宜入れる。例えば、フィールド周波数６０Ｆｉｅｌｄ／ｓ、８００ｓａｍｐｌｅ／ｆｉｅｌｄ×２４ｂｉｔ／ｓａｍｐｌｅを基とする装置に対してフィールド周波数５０Ｆｉｅｌｄ／ｓ、９６０ｓａｍｐｌｅ／ｆｉｅｌｄ×２０ｂｉｔ／ｓａｍｐｌｅの装置を作る場合にはＥＣＣデコード処理回路で２４個（２４ｂｉｔ分）のレジスタを設け、そこでＬＳＢファストに２４ｂｉｔ／ｓａｍｐｌｅでレジスタにサイクリックに書込み、ＬＳＢファストにて２０ｂｉｔ／ｓａｍｐｌｅでレジスタから読出し、オーディオデータのフォーマット変換を実現する。書込み側は６ｓａｍｐｌｅに１回は書込みを休む。
【００３５】
オーディオデータのフォーマット変換より前の部分の回路へのコントロールはオーディオデータのフォーマット変換用レジスタ書込みの休みに応じて延びるようにする。つまり、オーディオデータのフォーマット変換用レジスタ書込みの休みに応じてコントロール信号用の内部カウンタ動作を休むようにする。例えばフィールド周波数６０Ｆｉｅｌｄ／ｓを基とする装置に対してフィールド周波数５０Ｆｉｅｌｄ／ｓの装置を作る場合には６ｓａｍｐｌｅに１ｓａｍｐｌｅオーディオデータのフォーマット変換レジスタの書込みが休みになる。これに合わせてコントロール信号用内部カウンタも休む。よって、コントロール信号の周期は６０Ｆｉｅｌｄ／ｓの６／５の周期になり、６０Ｆｉｅｌｄ／ｓで８００ｓａｍｐｌｅ（１ｆｉｅｌｄ）で行なっていた処理が５０Ｆｉｅｌｄ／ｓでは９６０ｓａｍｐｌｅ（１ｆｉｅｌｄ）かかって同じ処理をすることになる。
【００３６】
順方向再生の時と逆方向再生の時でオーディオデータのフォーマット変換用レジスタに読み書きする際にＬＳＢファストとするか、ＭＳＢファストとするかを自動的に選択動作する。これは順方向再生と逆方向再生でオーディオデータが来る順番が逆になるため、フォーマット変換もＭＳＢファスト詰め、ＬＳＢファスト詰めで逆になる。よって、オーディオデータのフォーマット変換も順方向再生、逆方向再生に応じてＭＳＢファストでフォーマット変換するか、ＬＳＢファストでフォーマット変換するかを適宜コントロールする必要が出てくる。
【００３７】
シャトル再生時にはオーディオデータのフォーマット変換処理をする際、異フィールドのデータが混じり合ってデータが再生されるが、オーディオデータのフォーマット変換シーケンスの最初と最後のデータパックには元の１サンプル分、全てのデータが入っているパックが来るはずなので、この元のデータにフォーマット変換出来るデータだけを有効データとして再生する。オーディオデータのフォーマット変換シーケンスの最初と最後以外のデータは完全にはフォーマット変換出来ず、違うサンプルデータが混じり合ってフォーマット変換されるはずであり、これらサンプルはエラーとして、後段でコンシール処理をする。尚、上位の有効データビット数を制限すればオーディオデータフォーマット変換シーケンスの最初と最後以外にも有効なオーディオデータフォーマット変換サンプルが出来るので上記よりも多くのデータを有効データとしてシャトル再生音に使える。但し、その場合には制限ビット数以下のＬＳＢビットは０データに置き換える。
【００３８】
ビデオに関しては本装置の記録側では、変換部で対象フィールド周波数の入力信号のビデオ画枠を基となる装置の画枠と同じになるように変換すると同時に、クロックをフィールド周波数比倍に変換する。例えば、基となる装置がフィールド周波数６０ｆｉｅｌｄ／ｓで２２００ｓａｍｐｌｅ／Ｌｉｎｅ×１１２５Ｌｉｎｅ／Ｆｉｅｌｄ（有効領域１９２０ｓａｍｐｌｅ×１０８０Ｌｉｎｅ、クロック７４．２５ＭＨｚ）だとして、対象となる装置がフィールド周波数５０ｆｉｅｌｄ／ｓ、２６４０ｓａｍｐｌｅ／Ｌｉｎｅ×１１２５Ｌｉｎｅ／Ｆｉｅｌｄ（有効領域１９２０ｓａｍｐｌｅ×１０８０Ｌｉｎｅ、クロック７４．２５ＭＨｚ）だとすると、変換部で対象となる装置の２６４０ｓａｍｐｌｅ／Ｌｉｎｅ×１１２５Ｌｉｎｅ／Ｆｉｅｌｄ（有効領域１９２０ｓａｍｐｌｅ×１０８０Ｌｉｎｅ，クロック７４．２５ＭＨｚ）を２２００ｓａｍｐｌｅ／Ｌｉｎｅ×１１２５Ｌｉｎｅ／Ｆｉｅｌｄ（有効領域１９２０ｓａｍｐｌｅ×１０８０Ｌｉｎｅ、クロック６１．８７５ＭＨｚ（＝７４．２５ＭＨｚ×５０／６０））に変換する。
【００３９】
ビデオ圧縮処理や、誤り訂正符号化等のビデオエンコード処理は、変換部より先では基装置と対象装置のフィールド周波数比倍のクロックで基装置と全く同じ処理を行ない、記録フォーマットは基装置と同じになるようにする。例えば、基装置がフィールド周波数６０ｆｉｅｌｄ／ｓ、ビデオ圧縮処理出力クロック４６．４ＭＨｚで対象装置が５０ｆｉｅｌｄ／ｓだとすると、対象装置のビデオ圧縮処理出力クロックは４６．４ＭＨｚ×５０／６０＝３８．６６６６ＭＨｚで基装置と同じ処理を行なう。
【００４０】
一方、本装置の再生側では、誤り訂正処理やビデオ伸張等のビデオデコード処理は、ビデオデコードクロック変換部までは基装置と対象装置のフィールド周波数比倍のクロックで基装置と全く同じ処理を行なう。例えば、基装置がフィールド周波数６０ｆｉｅｌｄ／ｓ、ビデオ伸張入力クロック４６．４ＭＨｚで対象装置が５０ｆｉｅｌｄ／ｓだとすると対象装置のビデオ伸張入力クロックは４６．４ＭＨｚ×５０／６０＝３８．６６６６ＭＨｚで基装置とまったく同じ処理を行なう。
【００４１】
ビデオデコードクロックの変換部で対象フィールド周波数の出力信号のビデオ画枠を所望の画枠に変換すると同時に所望のクロックに変換する。例えば、基となる装置がフィールド周波数６０ｆｉｅｌｄ／ｓで２２００ｓａｍｐｌｅ／Ｌｉｎｅ×１１２５Ｌｉｎｅ／Ｆｉｅｌｄ（有効領域１９２０ｓａｍｐｌｅ×１０８０Ｌｉｎｅ、クロック７４．２５ＭＨｚ）だとして、対象となる装置の出力がフィールド周波数５０ｆｉｅｌｄ／ｓ、２６４０ｓａｍｐｌｅ／Ｌｉｎｅ×１１２５Ｌｉｎｅ／Ｆｉｅｌｄ（有効領域１９２０ｓａｍｐｌｅ×１０８０Ｌｉｎｅ、クロック７４．２５ＭＨｚ）だとすると、ビデオデコードクロック変換部の入力側では、基装置と同じ画枠かつクロックは基装置と対象装置のフィールド周波数比倍なので、２２００ｓａｍｐｌｅ／Ｌｉｎｅ×１１２５Ｌｉｎｅ／Ｆｉｅｌｄ（有効領域１９２０ｓａｍｐｌｅ×１０８０Ｌｉｎｅ、クロック６１．８７５ＭＨｚ（＝７４．２５ＭＨｚ×５０／６０））になっている。これを対象となる装置の２６４０ｓａｍｐｌｅ／Ｌｉｎｅ×１１２５Ｌｉｎｅ／Ｆｉｅｌｄ（有効領域１９２０ｓａｍｐｌｅ×１０８０Ｌｉｎｅ、クロック７４．２５ＭＨｚ）に変換する。
【００４２】
標準規格（ＳＤ）等のようにフィールド周波数によってビデオライン数や有効画枠が違う場合には、記録側では対象装置のエンコード系にビデオライン数及び有効画枠等を基装置と同じにし且つクロックを基装置と対象装置のフィールド周波数比倍になるように変換するビデオラインコンバートフィルタ付きの変換部を設ける。例えばフィールド周波数６０ｆｉｅｌｄ／ｓで有効領域７２０ｓａｍｐｌｅ×４８０Ｌｉｎｅ（１３．５ＭＨｚ）、５０ｆｉｅｌｄ／ｓで有効領域７２０ｓａｍｐｌｅ×５７６Ｌｉｎｅ（１３．５ＭＨｚ）と、画枠及びクロックが違う場合を考える。これに対応するためには、５０ｆｉｅｌｄ／ｓの７２０ｓａｍｐｌｅ×５７６Ｌｉｎｅを６０ｆｉｅｌｄ／ｓの７２０ｓａｍｐｌｅ×４８０Ｌｉｎｅにフィルタ処理でライン変換し、かつクロック周波数を１３．５ＭＨｚ×５０／６０＝１１．２５ＭＨｚに変換する。
【００４３】
一方再生側では、標準規格（ＳＤ）等のようにフィールド周波数によってビデオライン数、有効画枠が違う場合には、対象装置のデコード系に基装置と同じビデオ画枠で且つクロックが基装置と対象装置のフィールド周波数比となっているビデオ信号を、所望のビデオ画枠及びクロック周波数に変換するビデオラインコンバートフィルタ付き変換部を設ける。例えば、基となる装置がフィールド周波数６０ｆｉｅｌｄ／ｓで有効領域７２０ｓａｍｐｌｅ×４８０Ｌｉｎｅ（１３．５ＭＨｚ）だとして、対象となる装置の出力がフィールド周波数５０ｆｉｅｌｄ／ｓ、７２０ｓａｍｐｌｅ×５７６Ｌｉｎｅ（１３．５ＭＨｚ）だとすると、ビデオラインコンバートフィルタ付き変換部の入力側では基装置と同じ画枠で且つクロックが基装置と対象装置のフィールド周波数比倍なので、７２０ｓａｍｐｌｅ×４８０Ｌｉｎｅ（クロック１１．２５ＭＨｚ（＝１３．５ＭＨｚ×５０／６０））になっている。これを対象となる装置の７２０ｓａｍｐｌｅ×５７６Ｌｉｎｅ（１３．５ＭＨｚ）にビデオフィルタ付き変換部で変換する。
【００４４】
【発明の実施の形態】
当発明はあるフィールド周波数の記録再生装置が存在する時に、そのシステムを基本として異なるフィールド周波数に対応する記録再生装置を作る際に、装置を簡素化する方式である。具体的な例としてＶＴＲ記録再生装置を例にあげるのでこれより先は記録再生装置という呼び方はせず、単にＶＴＲと記述する。但し、本発明は、ＶＴＲに限られるものではない。このＶＴＲはＣＰＵを内蔵しており、コンピュータプログラムを実行して、所定の手順からなる音声記録方法、音声再生方法、映像記録方法及び映像再生方法を実現する。このコンピュータプログラムは、ＲＯＭ、ハードディスクその他の媒体に格納され、ＶＴＲに組み込まれる。ＶＴＲのＣＰＵは、この媒体からコンピュータプログラムを読み出して、実行するようになっている。
【００４５】
図１は、フィールド周波数６０Ｆｉｅｌｄ／ｓに対応したＶＴＲのブロック図である。これが基本となるＶＴＲになる。（Ａ）は記録側を示し、（Ｂ）は再生側を示す。入力ビデオ信号はビデオベースバンド処理部１に送られる。ビデオベースバンド処理部１は、７４．２５ＭＨｚのクロックで動作する。ここで輝度、クロマ等がコントロールされる。ビデオベースバンド処理部１で処理された信号はビデオ圧縮部２に送られる。ここではビデオ信号が圧縮され、４６．４ＭＨｚのクロックにのせられてＥＣＣエンコード＆オーディオ／ビデオ結合部４に送られる。
【００４６】
一方、入力オーディオ信号はサンプリング周波数が４８ＫＨｚである。１フィールドあたりのサンプル数を計算すると４８Ｋ／６０＝８００ｓａｍｐｌｅ／ｆｉｅｌｄとなる。１サンプルは２４ｂｉｔである。この入力オーディオ信号は、オーディオベースバンド処理部３に送られオーディオベースバンド処理が行われる。例えば、ここではゲイン調整等が行われる。オーディオベースバンド処理部３で処理された信号はＥＣＣエンコード＆オーディオ／ビデオ結合部４に送られる。ＥＣＣエンコード＆オーディオ／ビデオ結合部４ではオーディオ、ビデオそれぞれにエラー訂正コード（Ｅｒｒｏｒ  Ｃｏｒｒｅｃｔｉｏｎ  Ｃｏｄｅ、ＥＣＣ）生成を行ない、Ｃ１，Ｃ２パリティーを付加して、テープフォーマットに合うようにデータ加工を行なう。ＥＣＣエンコード＆オーディオ／ビデオ結合部４の入力クロックは、ビデオが４６．４ＭＨｚで、オーディオが４８ＫＨｚ系である。また、出力はテープ記録データとして９４ＭＨｚシリアルデータで出力される。
【００４７】
ＥＣＣエンコード＆オーディオ／ビデオ結合部４のオーディオ入力データはシリアルであり、１ｓａｍｐｌｅ６４ｂｉｔで送られる。オーディオシリアルデータフォ−マットを図２に示す。ここでわかるようにシリアルデータは２チャネル混合のＡＥＳ／ＥＢＵの形式で送られる。Ｚ，Ｍ，Ｊ，Ｅ，Ｖ，Ｕ，Ｃ，Ｐはそれぞれフラグであり、本線データはＬＳＢファストで送られてくる。図２は、２４ｂｉｔ／ｓａｍｐｌｅと２０ｂｉｔ／ｓａｍｐｌｅのデータ形式を示す。このように、ＥＣＣエンコード＆オーディオ／ビデオ結合部４のオーディオ入力はシリアルデータである。図１では、４８ＫＨｚと書いたがこれは１サンプルを１クロックと数えた時に４８ＫＨｚのレートになるという意味であり、つまりサンプリング周波数のことである。ＥＣＣエンコード＆オーディオ／ビデオ結合部４のオーディオ入力はシリアルデータなので、シリアルデータのクロック周波数で書くと４８ＫＨｚ×６４ｂｉｔ／ｓａｍｐｌｅ＝３．０７２ＭＨｚとなる。しかしオーディオは１ｓａｍｐｌｅを１単位とした周波数であるサンプリング周波数が重要であり、この例ではたまたま１ｓａｍｐｌｅが６４ｂｉｔシリアルで送られてくるが、２５６ｂｉｔで送られるという場合もありうる。このため、図１ではあえて重要な４８ＫＨｚだけを記述しており、これより先もオーディオクロックについてはサンプリング周波数で記述する。
【００４８】
ＥＣＣエンコード＆オーディオ／ビデオ結合部４で作られた信号はテープに記録される。テープ再生された信号はＥＣＣデコード＆オーディオ／ビデオ分離部５の入力となる。ＥＣＣデコード＆オーディオ／ビデオ分離部５はオーディオ、ビデオのデータに分離した後、エラー訂正コードのデコード（復号化）を行ない誤り訂正を行なう。ビデオデータはクロック４６．４ＭＨｚにのせて出力され、ビデオ伸張部６に入力される。ビデオ伸張部６では圧縮が解かれビデオベースバンド信号が出力される。この信号はビデオベースバンド処理部７に送られる。ビデオベースバンド処理部７では輝度、クロマ等がコントロールされた後、ＶＴＲ出力される。一方オーディオはＥＣＣデコード＆オーディオ／ビデオ分離部５で誤り訂正処理を行われた後、オーディオベースバンドでＥＣＣデコード＆オーディオ／ビデオ分離部５より出力される。この時のフィールドあたりサンプル数、及びサンプルあたりビット数は８００ｓａｍｐｌｅ／ｆｉｅｌｄ，２４ｂｉｔ／ｓａｍｐｌｅである。この信号がサンプリング周波数４８ＫＨｚでオーディオベースバンド処理部８に送られる。オーディオベースバンド処理部８では出力オーディオのゲインコントロール等が行われる。この信号がＶＴＲ出力オーディオとなる。
【００４９】
図３の（Ａ）はフィールド周波数６０Ｆｉｅｌｄ／ｓのビデオ記録フォーマット図である。１フィールドは６トラックから構成されており、トラック１本でビデオ１ＥＣＣ（エラー訂正コード）ブロック（積符合）が構成されている。６Ｔｒａｃｋ／Ｆｉｅｌｄであることから、ビデオは６ＥＣＣブロック／フィールドある。図３（Ａ）のテープフットプリント図のＶはビデオを表しており、ビデオは１トラックに２セクター分割されて置かれている。ビデオの１ＥＣＣブロックは２５０ｓｙｎｃ／ｔｒａｃｋであり、１セクターあたり１２５ｓｙｎｃづつおかれており、２セクターで２５０Ｓｙｎｃになる。つまり、１トラックでは２５０Ｓｙｎｃデータが存在しており、このＥＣＣブロック構成は図３（Ｂ）のようになる。１ＳｙｎｃとはＥＣＣブロックのＣ１方向データ１本のことをいう。Ｃ１ＥＣＣパリティが１２Ｂｙｔｅ，Ｃ２ＥＣＣパリティが２４Ｂｙｔｅの構成である。ビデオデータは圧縮データである。
【００５０】
図４はフィールド周波数６０Ｆｉｅｌｄ／ｓのオーディオ記録フォーマット図である。図４（Ａ）に示すテープフットプリント図のＡ０はオーディオチャネル０を表し、Ａ１はオーディオチャネル１を表し、Ａ２はオーディオチャネル２を表し、Ａ３はオーディオチャネル３を表している。オーディオＥＣＣブロック構成はオーディオのチャネル毎に１フィールドで構成されている。オーディオは１トラック、１チャネルあたり４Ｓｙｎｃづつ記録されている。よって、１フィールド分６トラックのデータを集めると４Ｓｙｎｃ／ｔｒａｃｋ・チャネル×６Ｔｒａｃｋ／Ｆｉｅｌｄ＝２４Ｓｙｎｃ／ｆｉｅｌｄ・チャネルとなり、これでオーディオ１チャネルのＥＣＣブロックを構成する。図４の（Ｂ）に示すようにオーディオＥＣＣブロックが構成され、Ｃ１ＥＣＣパリティは１２Ｂｙｔｅ，Ｃ２ＥＣＣパリティは１２Ｂｙｔｅが割り当てられている。オーディオ１サンプルあたり２４ｂｉｔであるのでこれを８ｂｉｔ×３Ｓｙｍｂｏｌに分割する。図４（Ｂ）に示すように、１Ｓａｍｐｌｅは同じＳｙｎｃに３ＢｙｔｅのデータとしてＭＳＢから入るように構成されている。１フィールドあたりでは８００ｓａｍｐｌｅのデータであるのでＥＣＣブロックで４Ｓａｍｐｌｅ分データ枠が余るが、ここにはユーザデータが割り当てられている。オーディオサンプルデータは非圧縮のデータが入る。
【００５１】
図５は、フィールド周波数５０Ｆｉｅｌｄ／ｓを実現するＶＴＲのブロック図である。（Ａ）は記録側を示し、（Ｂ）は再生側を示す。このＶＴＲは図１のフィールド周波数６０Ｆｉｅｌｄ／ｓのＶＴＲを基本としている。ビデオ圧縮部２、オーディオベースバンド処理部３、ＥＣＣエンコード＆オーディオ／ビデオ結合部４、ＥＣＣデコード＆オーディオ／ビデオ分離部５、ビデオ伸張部６及びオーディオベースバンド処理部８は、全て基本となる６０Ｆｉｅｌｄ／ｓ対応のＶＴＲと全く同じブロックを使用する。ビデオベースバンド処理部１’及びビデオベースバンド処理部７’はそれぞれビデオエンコード／デコードのベースバンド処理ブロックであるが、処理クロックが７４．２５ＭＨｚであり、基となるフィールド周波数６０Ｆｉｅｌｄ／ｓのビデオベースバンド処理部１及びビデオベースバンド処理部７の処理クロックと同じであり、ほとんど同じ処理が使えるので、実際にはビデオベースバンド処理部１’とビデオベースバンド処理部１、ビデオベースバンド処理部７’とビデオベースバンド処理部７には回路的な差異がほとんどない。
【００５２】
ビデオクロックコンバータ１１は、入力７４．２５ＭＨｚに対して出力がフィールド周波数比５０／６０倍の６１．８７５ＭＨｚとなるようなクロックコンバータである。本例はハイビジョンを考えており、フィールド周波数５０Ｈｚ，６０Ｈｚのいずれの場合にもビデオ有効フレーム領域が１９２０ｓａｍｐｌｅ×１０８０Ｌｉｎｅ（または１４４０ｓａｍｐｌｅ×１０８０Ｌｉｎｅ）という画枠であり、５０Ｈｚ，６０Ｈｚで有効画枠の違いはないので単純に５０／６０倍の６１．８７５ＭＨｚにしても無効領域を捨て去るだけであり、有効領域はすべてがそのまま有効データとなる。
【００５３】
図６に各フィールド周波数及び処理過程における画枠の違いを示した。（Ａ）はフィールド周波数６０Ｈｚの画枠、（Ｂ）はフィールド周波数５０Ｈｚの画枠、（Ｃ）はフィールド周波数５０Ｈｚの画枠をビデオクロックコンバータ１１で処理した後の画枠（信号形態）を示す。このように、ビデオクロックコンバータ１１で処理した後の信号形態（Ｃ）は無効領域も含めて６０Ｆｉｅｌｄ／ｓ、７４．２５ＭＨｚの信号形態（Ａ）と全く同じである。
【００５４】
ビデオクロックコンバータ１１から出力された６１．８７５ＭＨｚの出力信号をビデオ圧縮部２に送る。出力クロックも５０／６０倍の３８．６６６ＭＨｚとすれば、ビデオ圧縮部２にとってはクロックとデータレートが５０／６０倍になっただけであり、処理は基となる６０Ｆｉｅｌｄ／ｓＶＴＲと全く同じである。逆の言い方をすればビデオクロックコンバータ１１の役目はビデオクロックコンバータ１１以降の処理を５０／６０倍のレートで基となる６０Ｆｉｅｌｄ／ｓ対応ＶＴＲと全く同じ処理をさせることといえる。
【００５５】
一方オーディオ側は、ビデオ側のビデオクロックコンバータ１１と同じ働きを、オーディオデータパック部９で行なう。オーディオデータパック部９では、図５に書いているように４８ＫＨｚ，９６０ｓａｍｐｌｅ／ｆｉｅｌｄ×２０ｂｉｔ／ｓａｍｐｌｅ（＝１９２００ｂｉｔ／ｆｉｅｌｄ）を４０ＫＨｚ，８００ｓａｍｐｌｅ／ｆｉｅｌｄ×２４ｂｉｔ／ｓａｍｐｌｅ（＝１９２００ｂｉｔ／ｆｉｅｌｄ）にデータ変換する。これらのオーディオデータはどちらもフィールドあたり総ビット数が１９２００ｂｉｔ／ｆｉｅｌｄと同じなのでデータ変換が可能である。ここで４０ＫＨｚ＝４８ＫＨｚ×５０／６０であり、オーディオ側も、オーディオデータパック部９以降は５０／６０倍のレートで基となるフィールド周波数６０ｆｉｅｌｄ／ｓＶＴＲと全く同じ処理が出来る。
【００５６】
図７にオーディオデータパック部９の詳細構成を示す。図７の（Ａ）でわかるように、オーディオデータパック部９はＦＩＦＯコントロールとＦＩＦＯ部からなっている。データパックの１シーケンスは４８ＫＨｚ系（２０ｂｉｔ／ｓａｍｐｌｅ）で６ｓａｍｐｌｅとなっている。２０ｂｉｔ／ｓａｍｐｌｅ×６ｓａｍｐｌｅ＝１２０ｂｉｔであるが、これを４０ＫＨｚ系（２４ｂｉｔ／ｓａｍｐｌｅ）で１２０ｂｉｔ＝２４ｂｉｔ／ｓａｍｐｌｅ×５ｓａｍｐｌｅに変換する。オーディオデータパック部９にはオーディオデータがシリアルで入力されており、４８ＫＨｚ系の６４×４８ＫＨｚでシリアル１ｂｉｔづつ書込む。この時、Ｚ，Ｍ，Ｊ，Ｅ，Ｖ，Ｕ，Ｃ，ＰのフラグはＦＩＦＯに書かず、データだけをＦＩＦＯに書く。これを４０ＫＨｚ系の６４×４０ＫＨｚでシリアル１ｂｉｔづつ読出しする。但し、フラグ部分はＦＩＦＯから読出しせずに０をうめる（後段でフラグは意味のないデータである）。読出しは２４ｂｉｔを１ｓａｍｐｌｅとしてサンプル毎行ない、ＥＣＣエンコード＆オーディオ／ビデオ結合部４に送られる。図７（Ｂ）にしめすようにシーケンスの開始点はフィールドの先頭で行なうこととする。このコントロール信号として、オーディオデータパック部９にはフィールド先頭を示す信号Ｆｉｅｌｄ−Ｓｔａｒｔがきている。図７（Ｂ）には、データパックのＦＩＦＯへの書込み及び読出しの様子が書いてある。ここでＦＩＦＯが４ｂｉｔのマスで区切られているのは２０ｂｉｔ−＞２４ｂｉｔ変換の様子を分かりやすくするためであり、実際には先に述べたように１ｂｉｔ毎に書込まれており、１ｂｉｔ毎に読出されている。Ｆｉｅｌｄ−Ｓｔａｒｔについては、４８ＫＨｚ系から４０ＫＨｚ系へ変換する時オーディオデータパック部９内のＦＩＦＯコントロールが信号Ｆｉｅｌｄ−Ｓｔａｒｔを出して、変換後の４０ＫＨｚ系でフィールド先頭がどこかということを示す情報を出す。この情報を基にしてＥＣＣエンコード＆オーディオ／ビデオ結合部４においてオーディオのフィールド切れ目で区切ってオーディオデータ切り出しを行ないＥＣＣブロックを作る。
【００５７】
図５に示した、ＥＣＣエンコード＆オーディオ／ビデオ結合部４のビデオ入力及びオーディオ入力は、共に６０Ｆｉｅｌｄ／ｓの場合に比べて５０／６０倍のレートになっている。そして、ＥＣＣエンコード＆オーディオ／ビデオ結合部４の出力も５０／６０倍のレートなので、ＥＣＣエンコード＆オーディオ／ビデオ結合部４は６０Ｆｉｅｌｄ／ｓの場合と全く同じ処理を５０／６０倍のレートで処理することになる。当然ではあるが、回路等は６０Ｆｉｅｌｄ／ｓと５０Ｆｉｅｌｄ／ｓの場合で全く同じものが使える。そして、５０／６０倍のレートでテープに記録される。この時テープ走行速度、ドラム回転速度等は全て６０Ｆｉｅｌｄ／ｓの場合に比べてフィールド周波数比倍の５０／６０倍レートになっている。よって、フットプリントは基となるフィールド周波数６０Ｆｉｅｌｄ／ｓ対応ＶＴＲと５０Ｆｉｅｌｄ／ｓ対応ＶＴＲとで同じになる。
【００５８】
一方テープ再生では、基本となるフィールド周波数６０Ｆｉｅｌｄ／ｓの５０／６０倍レートのデータがＥＣＣデコード＆オーディオ／ビデオ分離部５に入力される。ＥＣＣデコード＆オーディオ／ビデオ分離部５は全て６０Ｆｉｅｌｄ／ｓの５０／６０倍のレートで処理を行なう。このためビデオ出力及びオーディオ出力は共に６０Ｆｉｅｌｄ／ｓＶＴＲの場合より５０／６０倍のレートとなる。当然ではあるが、ＥＣＣデコード＆オーディオ／ビデオ分離部５は６０Ｆｉｅｌｄ／ｓの場合と全く同じ処理でレートが違うだけなので６０Ｆｉｅｌｄ／ｓと同じ回路が使える。ＥＣＣデコード＆オーディオ／ビデオ分離部５のビデオ出力はビデオ伸張部６に入る。ビデオ伸張部６も入出力処理共に６０Ｆｉｅｌｄ／ｓの場合に比べて５０／６０倍のレートになる。当然回路は６０Ｆｉｅｌｄ／ｓの場合と全く同じものが使える。ここで，再生側のビデオクロックコンバータ１２は、記録側のビデオクロックコンバータ１１と逆の働きをする。ビデオクロックコンバータ１２は、６０Ｆｉｅｌｄ／ｓの５０／６０のレートである６１．８７５ＭＨｚから７４．２５ＭＨｚに戻す。図６に示すように有効領域は変化せず、無効領域（ブランキング部分）が増えて７４．２５ＭＨｚとなる。ビデオベースバンド処理部７’ではビデオベースバンド処理が行われ、輝度及びクロマ等の調整がされる。ビデオベースバンド処理部７’のフィールド周波数５０Ｆｉｅｌｄ／ｓ出力がＶＴＲ出力となる。
【００５９】
一方オーディオはＥＣＣデコード＆オーディオ／ビデオ分離部５で誤り訂正処理がなされた後、４０ＫＨｚ，８００ｓａｍｐｌｅ／ｆｉｅｌｄ×２４ｂｉｔ／ｓａｍｐｌｅでデータパックされた状態で、オーディオデータデパック部１０に入力される。オーディオデータデパック部１０では、オーディオデータパック部９と逆の働きをしてデータパックをほどき、元の４８ＫＨｚ，９６０ｓａｍｐｌｅ／ｆｉｅｌｄ×２０ｂｉｔ／ｓａｍｐｌｅに戻す。オーディオデータデパック部１０の詳細を図８に示す。（Ａ）に示すように，オーディオデータパック部９と同じようにＦＩＦＯコントロールで４０ＫＨｚから４８ＫＨｚへ変換されても、フィールド先頭を示す信号Ｆｉｅｌｄ−Ｓｔａｒｔが正しく伝わるようになっている。書込み側の信号Ｆｉｅｌｄ−Ｓｔａｒｔはデータデパックシーケンスの開始点であり、非常に重要な信号である。シーケンスは、オーディオデータパック部９と同じように４０ＫＨｚ系（書込み側）で５ｓａｍｐｌｅ×２４ｂｉｔ／ｓａｍｐｌｅ＝１２０ｂｉｔ、４８ＫＨｚ系（読出し側）で６ｓａｍｐｌｅ×２０ｂｉｔ＝１２０ｂｉｔが１シーケンスとなっている。オーディオデータデパック部１０でも、信号Ｆｉｅｌｄ−Ｓｔａｒｔがデータデパックシーケンス開始点となっている。
【００６０】
オーディオデータデパック部１０で処理された４８ＫＨｚ，９６０ｓａｍｐｌｅ／ｆｉｅｌｄ×２０ｂｉｔ／ｓａｍｐｌｅはオーディオベースバンド処理部８に入力され、ゲイン調整等のオーディオベースバンド処理が行われた後、ＶＴＲ出力として、フィールド周波数５０Ｆｉｅｌｄ／ｓ，４８ＫＨｚ，９６０ｓａｍｐｌｅ／ｆｉｅｌｄ×２０ｂｉｔ／ｓａｍｐｌｅで出力される。このようにしてフィールド周波数６０Ｆｉｅｌｄ／ｓＶＴＲを基として、フィールド周波数５０Ｆｉｅｌｄ／ｓに対応する。
【００６１】
これまではフィールド周波数５０Ｆｉｅｌｄ／ｓの場合について述べたが、他のフィールド周波数についても対応可能である。図９にフィールド周波数４８Ｆｉｅｌｄ／ｓの場合のブロック図を示す。（Ａ）は記録側を示し、（Ｂ）は再生側を示す。基となるＶＴＲは図１のフィールド周波数６０Ｆｉｅｌｄ／ｓＶＴＲである。ビデオ側はビデオクロックコンバータ１１及びビデオクロックコンバータ１２で先ほどのフィールド周波数５０Ｆｉｅｌｄ／ｓの場合と同様にレートをフィールド周波数比倍変換しており、この場合７４．２５ＭＨｚ＜−−−−＞５９．４ＭＨｚ（＝７４．２５ＭＨｚ×４８／６０）に変換している。
【００６２】
この様子を図１０に示した。（Ａ）はフィールド周波数６０Ｈｚの画枠、（Ｂ）はフィールド周波数４８Ｈｚの画枠、（Ｃ）はフィールド周波数４８Ｈｚの画枠をビデオクロックコンバータ１１で処理した後の画枠（信号形態）を示す。図１０を見てわかるように、フィールド周波数５０Ｆｉｅｌｄ／ｓの場合と同様に、有効領域は入力ビデオクロックコンバータ１１及び出力ビデオクロックコンバータ１２の変換でも変わらず、無効領域（ブランキング領域）だけが変化しているのがわかり、変換後は無効領域及び有効領域を含めて、基となる６０Ｆｉｅｌｄ／ｓＶＴＲの画枠と全く同じになることがわかる。
【００６３】
一方、オーディオを考えた時、基となるフィールド周波数６０Ｆｉｅｌｄ／ｓＶＴＲとフィールド周波数４８Ｆｉｅｌｄ／ｓＶＴＲにおいて、オーディオのフィールドあたり総ビット数が同じになるようにするわけだが、フィールド周波数４８Ｆｉｅｌｄ／ｓでは都合の良いフィールドあたりサンプル数、サンプルあたりビット数にならない。基となる６０Ｆｉｅｌｄ／ｓＶＴＲでオーディオが１フィールドあたり８００Ｓａｍｐｌｅ／ｆｉｅｌｄ×２４ｂｉｔ／Ｓａｍｐｌｅで記録できる。それを基にして４８ｆｉｅｌｄ／ｓＶＴＲでオーディオ入力部を４８ＫＨｚにする場合を考える。４８ｆｉｅｌｄ／ｓだから１０００ｓａｍｐｌｅ／ｆｉｅｌｄになる。単純に変換すると８００ｓａｍｐｌｅ／ｆｉｅｌｄ×２４ｂｉｔ／ｓａｍｐｌｅ＝１９２００ｂｉｔ／ｆｉｅｌｄであるので、１０００ｓａｍｐｌｅ／ｆｉｅｌｄ×１９．２ｂｉｔ／ｓａｍｐｌｅとなる。１サンプルあたり１９．２ｂｉｔは整数ビット数ではないので実現できない。そこでこれに近い９６０ｓａｍｐｌｅ／ｆｉｅｌｄ×２０ｂｉｔ／ｓａｍｐｌｅを経由して８００ｓａｍｐｌｅ／ｆｉｅｌｄ×２４ｂｉｔ／ｓａｍｐｌｅに変換する。図９にあるように一旦、オーディオレートコンバータ１３で、１０００ｓａｍｐｌｅ／ｆｉｅｌｄ×２０ｂｉｔ／ｓａｍｐｌｅ（４８ＫＨｚ、４８Ｆｉｅｌｄ／ｓ）を９６０ｓａｍｐｌｅ／ｆｉｅｌｄ×２０ｂｉｔ／ｓａｍｐｌｅ（４６．０８ＫＨｚ、４８Ｆｉｅｌｄ／ｓ）に変換する。この信号をオーディオデータパック部９でデータ変換して８００ｓａｍｐｌｅ／ｆｉｅｌｄ×２４ｂｉｔ／ｓａｍｐｌｅ（３６．８６４ＫＨｚ＝４６．０８ＫＨｚ×４８／６０，４８Ｆｉｅｌｄ／ｓ）にする。フィールド周波数５０Ｆｉｅｌｄ／ｓの場合と同じように、フィールド周波数比レートでエンコード処理を行なう。
【００６４】
デコード処理はエンコード処理と逆に行ない、オーディオデータデパック部１０で８００ｓａｍｐｌｅ／ｆｉｅｌｄ×２４ｂｉｔ／ｓａｍｐｌｅ（３６．８６４ＫＨｚ，４８Ｆｉｅｌｄ／ｓ）を９６０ｓａｍｐｌｅ／ｆｉｅｌｄ×２０ｂｉｔ／ｓａｍｐｌｅ（４６．０８ＫＨｚ，４８Ｆｉｅｌｄ／ｓ）に変換し、オーディオレートコンバータ１４で１０００ｓａｍｐｌｅ／ｆｉｅｌｄ×２０ｂｉｔ／ｓａｍｐｌｅ（４８ＫＨｚ、４８Ｆｉｅｌｄ／ｓ）に変換してＶＴＲ出力される。この際に４６．０８ＫＨｚにサンプリングレートがコンバートされているが、人間の可聴域は一般に２０ＫＨｚなのでサンプリング定理にあてはめてもサンプリング周波数は４０ＫＨｚを越えていれば良く、Ｄ／Ａ、Ａ／Ｄ等の性能を考えても４６．０８ＫＨｚのサンプリング周波数があれば十分であると考えられる。このように総ビット数が同じになるようなサンプルあたりビット数を単純に考えた場合に、整数ビットとならない場合でもサンプリングレートコンバータを用いることによりサンプリング周波数をそれほど落とさずにサンプルあたりビット数を整数ビットにすることができる。
【００６５】
上記フィールド周波数４８Ｆｉｅｌｄ／ｓを考えた場合、上記方法のサンプリングレートコンバータを用いずに１０００ｓａｍｐｌｅ／ｆｉｅｌｄ×１９ｂｉｔ／ｓａｍｐｌｅに２００ｂｉｔのスタッフィング（意味のないデータ）を足して８００ｓａｍｐｌｅ／ｆｉｅｌｄ×２４ｂｉｔ／ｓａｍｐｌｅに変換してもよい。ただし、この場合にはオーディオデータパック／デパックシーケンスが長くなるので大きいＦＩＦＯが必要である。即ち，２０ビットと２４ビットの関係に比べ，１９ビットと２４ビットの数値関係では最小公倍数が高くなってしまい，その分ＦＩＦＯのサイズが大きくなる。
【００６６】
ここまではハイビジョンを例に説明をしてきたので、図６及び図１０に示す例のようにフィールド周波数が違ってもハイビジョンの規格上有効領域の画枠が同じであり、図５のビデオクロックコンバータ１１とビデオクロックコンバータ１２でライン変換フィルタ処理はしない。しかしスタンダード規格（ＳＤ）の場合、有効領域の画枠は、フィールド周波数６０Ｆｉｅｌｄ／ｓでは７２０ｓａｍｐｌｅ×４８０Ｌｉｎｅ、フィールド周波数５０Ｆｉｅｌｄ／ｓでは７２０ｓａｍｐｌｅ×５７６Ｌｉｎｅとライン数が違っているので、ライン変換フィルタ処理が必要になる。図１１に基となるスタンダード規格のフィールド周波数６０Ｆｉｅｌｄ／ｓＶＴＲのブロック図を示す。（Ａ）は記録側を示し、（Ｂ）は再生側を示す。オーディオベースバンド処理部３及びオーディオベースバンド処理部８は、図１の例と同じである。入力ビデオベースバンド処理部１５、ビデオ圧縮部１６、ＥＣＣエンコード＆オーディオ／ビデオ結合部１７、ＥＣＣデコード＆オーディオ／ビデオ分離部１８、ビデオ伸張部１９及び出力ビデオベースバンド処理部２０は、ＳＤ用の処理ブロックである。
【００６７】
図１２にフィールド周波数６０Ｆｉｅｌｄ／ｓＶＴＲを基にしたＳＤフィールド周波数５０Ｆｉｅｌｄ／ｓＶＴＲのブロック図を示す。（Ａ）は記録側を示し、（Ｂ）は再生側を示す。また、図１３にそれぞれの画枠及び、フィールド周波数５０Ｆｉｅｌｄ／ｓの処理後の画枠を示す。（Ａ）はフィールド周波数６０Ｈｚの画枠、（Ｂ）はフィールド周波数５０Ｈｚの画枠、（Ｃ）はフィールド周波数５０Ｈｚの画枠をビデオクロックコンバータで処理した後の画枠（信号形態）を示す。図１２において、ビデオベースバンド処理部２１および２４はそれぞれ入力ビデオベースバンド処理、出力ビデオベースバンド処理を行なうが、フィールド周波数５０Ｆｉｅｌｄ／ｓ用のものであり、ライン数が違うためにフィールド周波数６０Ｆｉｅｌｄ／ｓに対応した図１１のビデオベースバンド処理部１５および２０とは全く違った処理になる。図１２のビデオライン＆クロックコンバータ２２が図５のビデオクロックコンバータ１１にあたる部分であり、フィールド周波数５０Ｆｉｅｌｄ／ｓの有効画枠７２０ｓａｍｐｌｅ×５７６Ｌｉｎｅを、基となるフィールド周波数６０Ｆｉｅｌｄ／ｓの有効画枠７２０ｓａｍｐｌｅ×４８０Ｌｉｎｅに変換するライン変換フィルタ処理を行なっている。図１３に示すように、ビデオライン＆クロックコンバータ２２で画枠を変換すると共にクロックも変更している。
【００６８】
図１２のビデオライン＆クロックコンバータ２３が、図５のビデオクロックコンバータ１２にあたる部分であり、基となるフィールド周波数６０Ｆｉｅｌｄ／ｓの有効画枠７２０ｓａｍｐｌｅ×４８０Ｌｉｎｅをフィールド周波数５０Ｆｉｅｌｄ／ｓの有効画枠７２０ｓａｍｐｌｅ×５７６Ｌｉｎｅに変換するライン変換フィルタ処理を行い、元のライン数に戻している。図１３に示すようにビデオライン＆クロックコンバータ２３で画枠を変換すると共にクロックも変更している。ハイビジョンの例と同様に、ビデオ圧縮部１６、ＥＣＣエンコード＆オーディオ／ビデオ結合部１７、ＥＣＣデコード＆オーディオ／ビデオ分離部１８及びビデオ伸張部１９はレートが変化するだけで、回路は基となるフィールド周波数６０Ｆｉｅｌｄ／ｓＶＴＲと同じものが使える。また、オーディオはハイビジョンの例と同様に処理することが出来、オーディオデータパック部９、オーディオデータデパック部１０、オーディオベースバンド処理部３及びオーディオベースバンド処理部８は図５のハイビジョンＶＴＲと全く同じものである。ＳＤの場合を例にあげて述べたが、このように画枠が違っても画枠を変換するフィルタ処理をかけることによって、基となるフィールド周波数ＶＴＲから違うフィールド周波数ＶＴＲを作ることができる。
【００６９】
ここで、図５に示したＶＴＲの発展形態を説明する。図５に示したフィールド周波数５０Ｆｉｅｌｄ／ｓ対応ＶＴＲのオーディオデータデパック部１０を、ＥＣＣデコード＆オーディオ／ビデオ分離部５に内蔵化して、内部にその機能を持たせた構成であり、そのブロック図を図１４に示す。（Ａ）は記録側を示し、（Ｂ）は再生側を示す。図１４はフィールド周波数６０Ｆｉｅｌｄ／ｓ，５０Ｆｉｅｌｄ／ｓの両者に対応している共通ＶＴＲである。図１４に記述している周波数で６０Ｆｉｅｌｄ／ｓと５０Ｆｉｅｌｄ／ｓそれぞれで値が違うものはフィールド周波数比倍の関係になっている。例えばビデオ圧縮部２の出力は３８．６６６６ＭＨｚ＝４６．４ＭＨｚ×５０／６０とフィールド周波数比倍の関係になっている。
【００７０】
ＥＣＣエンコード＆オーディオ／ビデオ結合部４’の具体的な構成を図１５に示す。ここでビデオは、ビデオＣ２ＥＣＣ処理部３５でＣ２ＥＣＣ処理されたものが、ＳＤＲＡＭ読出／書込コントロール部３１に送られる。一方オーディオは、シリアルデータがＳ／Ｐ変換部２５でシリアル／パラレル変換され、そのデータがコントローラ２６に送られる。コントローラ２６はＲａｔｅＣｏｎｖＲＡＭ書込みコントロール（ＲａｔｅＣｏｎｖＲＡＭ２８のデータ書込みコントロール）とＥＣＣスタートコントロール（他のコントローラ２９の処理スタートコントロール）を行なう。コントローラ２６には、コンバートレジスタ３４が入っている。この部分は後ろで詳しく説明する。ＲａｔｅＣｏｎｖＲＡＭ２８はＤｕａｌＰｏｒｔＲＡＭであり、ここでオーディオ４８ＫＨｚ系クロックから内部システムクロック（６６ＭＨｚ）にクロックのせかえが行われる。コントローラ２９はＲＣＲＡＭ（ＲａｔｅＣｏｎｖＲＡＭ２８）の読出しコントロール、Ｃ２ＲＡＭ３０のコントロール、Ｃ２ＥＣＣパリティ付加処理、ＳＤＲＡＭ書込み用のアドレス発生が行われる。ＳＤＲＡＭ読出／書込コントロール部３１は、ＳＤＲＡＭ３２のアクセスコントロールをしている。Ｃ１ＥＣＣ処理部３３は、ＳＤＲＡＭ読出しアドレス発生とＣ１ＥＣＣパリティ付加を行なって、ＲＦクロックレートにのせてＲＦデータを出力する。オーディオタイミングジェネレータ２７は、フィールド信号及びサンプリング周期（ＦＳ）信号をもらい、１フィールドを数えている。この場合、フィールド周波数が６０Ｆｉｅｌｄ／ｓ、５０Ｆｉｅｌｄ／ｓ共にサンプリング周波数４８ＫＨｚであるから、フィールド周波数６０Ｆｉｅｌｄ／ｓの場合には１フィールドあたり８００ｓａｍｐｌｅをカウンタで計数し、コントローラ２６及びＣ１ＥＣＣ処理部３３に処理タイミングを与えており、フィールド周波数５０Ｆｉｅｌｄ／ｓの場合には１フィールドあたり９６０ｓａｍｐｌｅをカウンタで計数しコントローラ２６及びＣ１ＥＣＣ処理部３３に処理タイミングを与えている。
【００７１】
図１６にＥＣＣエンコード＆オーディオ／ビデオ結合部４’のオーディオタイミングチャートを示す。図１６はフィールド周波数６０Ｆｉｅｌｄ／ｓ、１サンプルが２４ｂｉｔ／ｓａｍｐｌｅの処理について書かれている。つまりフィールド周波数５０Ｆｉｅｌｄ／ｓの場合、２０ｂｉｔ／ｓａｍｐｌｅを２４ｂｉｔ／ｓａｍｐｌｅに変換した後の処理タイミングが書かれている事になる。まず、基本となる６０Ｆｉｅｌｄ／ｓのタイミングについて述べる。ＲａｔｅＣｏｎｖＲＡＭ２８は内部が３ｂａｎｋに分かれており、それぞれのｂａｎｋに４８ｓａｍｐｌｅ×２４ｂｉｔ／ｓａｍｐｌｅのデータが格納できるようになっている。図１６の数字はＲＣＲＡＭｂａｎｋＮｏ．を示している。８００ｓａｍｐｌｅ／ｆｉｅｌｄを４８ｓａｍｐｌｅ／ｂａｎｋ×１６ｂａｎｋ＋３２ｓａｍｐｌｅ（１ｂａｎｋ）で処理していることがわかる。オーディオデータがＦＳ（サンプリング周波数４８ＫＨｚ）レートでＲａｔｅＣｏｎｖＲＡＭ２８に書かれる。Ｆｌｄ−Ｓｔａｒｔ（Ｆｉｅｌｄ−Ｓｔａｒｔ）及びＣ２−Ｓｔａｒｔはコントローラ２６より来る処理タイミングコントロール信号であり、Ｆｌｄ−ｓｔａｒｔから新しいフィールドデータがＲａｔｅＣｏｎｖＲＡＭ２８に書き込まれる。図１６で新フィールドデータがｂａｎｋ２，０から順にＲａｔｅＣｏｎｖＲＡＭ２８に書かれていることがわかる。そして、次のＣ２−Ｓｔａｒｔが来るとｂａｎｋ２，０のＣ２ＥＣＣ処理を開始する。ＲａｔｅＣｏｎｖＲＡＭ２８からシステムクロック６６ＭＨｚでＣ２方向に読み出す。コントローラ２９でＣ２ＥＣＣ処理を行ない、Ｃ２パリティを付加した後にＣ２ＲＡＭ３０にＣ２方向に書込みされる。Ｃ２ＲＡＭすべてに書き終わるとＣ２ＲＡＭからＣ１方向に読み出し、ＳＤＲＡＭ書込みアドレスと共にＳＤＲＡＭ読出／書込コントロール部３１に送られ、ＳＤＲＡＭ３２に書かれる。このような処理をチャネル０から順にチャネル７まで時分割的に行なう。Ｃ２−ＳｔａｒｔはＲａｔｅＣｏｎｖＲＡＭ２８に２ｂａｎｋ分が書込みされる毎に来て、フィールド最後はＦｌｄ−ｓｔａｒｔ信号と同時にＣ２−Ｓｔａｒｔがきて、カレントフィールドで残ったデータを処理する。フィールド最後は結果的には１ｂａｎｋ分に満たない３２ｓａｍｐｌｅ分の処理を行なっている。Ｆｌｄ−Ｓｔａｒｔ及びＣ２−Ｓｔａｒｔは、コントローラ２６がオーディオタイミングジェネレータ２７より入力されるコントロール信号から作っている。このようにしてフィールド周波数６０Ｆｉｅｌｄ／ｓのオーディオＥＣＣエンコード処理が行われる。基本となるフィールド周波数６０Ｆｉｅｌｄ／ｓでは、コンバートレジスタ３４は使われない。
【００７２】
次に、フィールド周波数５０Ｆｉｅｌｄ／ｓの信号が入力された場合について述べる。図１４でわかるように、フィールド周波数５０Ｆｉｅｌｄ／ｓ時にはＥＣＣエンコード＆オーディオ／ビデオ結合部４’へのオーディオ入力は９６０ｓａｍｐｌｅ／ｆｉｅｌｄ×２０ｂｉｔ／ｓａｍｐｌｅ（４８ＫＨｚ）で来る。これをオーディオデータパックして８００ｓａｍｐｌｅ×２４ｂｉｔ／ｓａｍｐｌｅに変換するわけだが、オーディオデータパックの働きをするのは、図１５のコンバートレジスタ３４である。図１５のＳ／Ｐ変換部２５は９６０ｓａｍｐｌｅ／ｆｉｅｌｄ×２０ｂｉｔ／ｓａｍｐｌｅのデータをフィールド周波数６０ｆｉｅｌｄ／ｓと同様に処理してシリアル／パラレル変換する。Ｓ／Ｐ変換部２５からコントローラ２６へ来るパラレルデータはＬＳＢファストで８ｂｉｔ単位に来る。２０ｂｉｔ／ｓａｍｐｌｅを送る時にはＬＳＢ４ｂｉｔ、ＭＤＢ（中間）８ｂｉｔ及びＭＳＢ８ｂｉｔに分割されて来る。これをコンバートレジスタ３４で２４ｂｉｔデータに変換するわけだが、シーケンスの単位は９６０ｓａｍｐｌｅ／ｆｉｅｌｄ×２０ｂｉｔ／ｓａｍｐｌｅで６ｓａｍｐｌｅを１シーケンスとしてこれを２４ｂｉｔ、５ｓａｍｐｌｅに変換する。すなわち、６ｓａｍｐｌｅ×２０ｂｉｔ／ｓａｍｐｌｅを５ｓａｍｐｌｅ×２４ｂｉｔ／ｓａｍｐｌｅに変換する。よって、９６０ｓａｍｐｌｅ／ｆｉｅｌｄ×２０ｂｉｔ／ｓａｍｐｌｅは８００ｓａｍｐｌｅ／ｆｉｅｌｄ×２４ｂｉｔ／ｓａｍｐｌｅに変換されることになる。
【００７３】
コンバートレジスタ３４の動作説明図を図１７に示す。コンバートレジスタ３４には２４個（２４ｂｉｔ分）のレジスタがある。入力データは２０ｂｉｔ／ｓａｍｐｌｅであり、図１７に示すように信号Ｆｉｅｌｄ−Ｓｔａｒｔを変換処理シーケンス先頭としてオーディオデータをレジスタにＬＳＢファストで順にＭＳＢの方に詰めて書込む。１サンプルデータはさきほど述べたように、ＬＳＢ４ｂｉｔ、ＭＤＢ８ｂｉｔ、ＭＳＢ８ｂｉｔの３つに分解されてくるので、レジスタにも１ｓａｍｐｌｅを３つに分けて書込みしている。書込み時、レジスタのＭＳＢまできたらＬＳＢの方に戻してサイクリックに書き込む。図１７のコンバートレジスタの左側に書込みをしているｂｉｔを表し、右側に読出しをしているｂｉｔを表した。例えば図１７のコンバートレジスタの左から４番目を見ると、書込みはＭＳＢ４ｂｉｔだけで、読出しはＬＳＢ８ｂｉｔであることが分かる。なお、コンバ−トレジスタに対する書き込みと読み出しが同時に競合した場合には、書き込みが優先する。
【００７４】
コンバートレジスタ３４の読み出しは最初の１ｓａｍｐｌｅ分は休んで、その後、ＬＳＢから８ｂｉｔ単位で読み出す。これがＲＣＲＡＭへの書込みデータとなる。図中Ａ〜Ｆはそれぞれ独立のＳａｍｐｌｅを表しており、オーディオデータパック処理でどのようなデータパッキングとなるかを説明している。コンバートレジスタ３４の読み出しは４８ＫＨｚ系のクロックで行われるが、シーケンスの先頭ｓａｍｐｌｅで休みが入り、読み出しが休みの時にはＲａｔｅＣｏｎｖＲＡＭ２８への書き込みも休むようにコントロールする。つまり６ｓａｍｐｌｅに１ｓａｍｐｌｅはコンバートレジスタ３４の読み出し及びＲＣＲＡＭ２８の書込みが休みになる。また、コントローラ２９へのＣ２ＥＣＣ処理開始コントロール信号、Ｆｌｄ−Ｓｔａｒｔ信号、Ｃ２−Ｓｔａｒｔ信号などを作るもとになっている内部カウンタも、４８ＫＨｚ系で６ｓａｍｐｌｅに１回休んでカウンタを動かして信号を作り出す。フィールド周波数６０ｆｉｅｌｄ／ｓで９５ｓａｍｐｌｅ（４８ＫＨｚ系）のカウンタ動作は、５０Ｆｉｅｌｄ／ｓでは１１４ｓａｍｐｌｅ（４８ＫＨｚ系）（＝９５×６／５）で動作することになる。図１６のＦｌｄ−ｓｔａｒｔとＣ２−Ｓｔａｒｔが重なっている部分から次のＣ２−Ｓｔａｒｔはフィールド周波数６０Ｆｉｅｌｄ／ｓで９６ｓａｍｐｌｅ（４８ＫＨｚ）の間隔となっているが、これをフィールド周波数５０Ｆｉｅｌｄ／ｓで考えると１１４ｓａｍｐｌｅで９５ｓａｍｐｌｅ分（６０ｆｉｅｌｄ／ｓ）のカウンタが進み、次の１ｓａｍｐｌｅはシーケンス始めなので休みとなり、次の１ｓａｍｐｌｅでカウンタが進み、９６ｓａｍｐｌｅ分（６０ｆｉｅｌｄ／ｓ）カウンタが進む。つまりＦｌｄ−ｓｔａｒｔの次のＣ２−Ｓｔａｒｔは１１６ｓａｍｐｌｅ（１１４＋１＋１）で出ることになる。このようにして、コントローラ２９のＣ２ＥＣＣ処理もフィールド周波数比倍で動作することになる。この時重要なのはＲａｔｅＣｏｎｖＲＡＭ２８及びコントローラ２９以降がＲＡＭ書き込みコントロール及び処理スタートコントロールによって周波数比倍の動作をしているということであり、ＲａｔｅＣｏｎｖＲＡＭ２８及びコントローラ２９は、フィールド周波数６０ｆｉｌｅｄ／ｓの時と比べて何ら回路を変更する必要がないということである。また、オーディオデータパック変換の際に６ｓａｍｐｌｅに１ｓａｍｐｌｅの割合で，内部カウンタ及びコントロールを休むことによってフィールド周波数比倍のレート変換を行なっており、図７に示した４８ＫＨｚ，４０ＫＨｚの２つのクロックを使用してオーディオデータパックしている方式に比べると、４８ＫＨｚ１つのクロックのみで、しかもわずか２４個のレジスタでレート変換できている。
【００７５】
次に再生側のＥＣＣデコード＆オーディオ／ビデオ分離部５’の内部ブロック構成を図１８に示す。Ｃ１ＥＣＣデコード処理部３６では、ＲＦデータに対してＣ１ＥＣＣデコード（誤り訂正）が行われ、そのデータはＳＤＲＡＭ読出／書込コントロール部３１を介してＳＤＲＡＭ３２に書き込まれる。ビデオは、ビデオＣ２ＥＣＣデコード処理部４２にて、ＳＤＲＡＭ読出／書込コントロール部３１でＳＤＲＡＭ３２から読出したデータをＣ２ＥＣＣデコード処理して、ビデオデータを出力する。一方オーディオであるが、タイミングジェネレータ３８は、フィールド信号及び、サンプリング周期（ＦＳ）信号をもらい、１フィールドを計数している。この場合、フィールド周波数６０Ｆｉｅｌｄ／ｓ、５０Ｆｉｅｌｄ／ｓ共にサンプリング周波数４８ＫＨｚであるから、フィールド周波数６０Ｆｉｅｌｄ／ｓの場合には１フィールドあたり８００ｓａｍｐｌｅをカウンタで数え、コントローラ３９及びＣ１ＥＣＣデコード処理部３６に処理タイミングを与えており、フィールド周波数５０Ｆｉｅｌｄ／ｓの場合には１フィールドあたり９６０ｓａｍｐｌｅをカウンタで数えコントローラ３９及びＣ１ＥＣＣデコード処理部３６に処理タイミングを与えている。コントローラ３９はＣ２ＥＣＣデコード処理タイミングを作っており、そのタイミングを別のコントローラ３７に送る。またコントローラ３９は、ＲａｔｅＣｏｎｖＲＡＭ２８の読出しコントロールを行なっている。コントローラ３９内部にはコンバートレジスタ４１があるが、これは後で詳しく述べる。コントローラ３７は、コントローラ３９からのＣ２ＥＣＣデコード処理開始タイミング信号Ｆｌｄ−Ｓｔａｒｔ及びＣ２−Ｓｔａｒｔに応じてＣ２ＥＣＣデコードを行なう。ＳＤＲＡＭ３２からＳＤＲＡＭ読出／書込コントロール部３１を介して必要なデータをＣ１方向に読み出し、それをＣ２ＲＡＭ３０にＣ１方向で書込む。Ｃ２ＲＡＭ３０にデータが貯まると、次はＣ２方向にデータを読出してＣ２ＥＣＣデコード処理を行ない、そのデータをＲａｔｅＣｏｎｖＲＡＭ２８に書き込む。コントローラ３７の動作及びＣ２ＲＡＭ３０とＲａｔｅＣｏｎｖＲＡＭ２８とへの書込みは、内部システムクロック６６ＭＨｚで行われる。コントローラ３９はＲａｔｅＣｏｎｖＲＡＭ２８から４８ＫＨｚ系でデータを読み出す。そのデータはＳ／Ｐ変換部４０に送られる。Ｓ／Ｐ変換部４０はコンシール処理やミュート処理等を行った後、データがパラレルシリアル変換されてＥＣＣエンコード＆オーディオ／ビデオ分離部５’のオーディオ出力となる。
【００７６】
図１９にＥＣＣデコード＆オーディオ／ビデオ分離部５’のオーディオタイミングチャートを示す。図１９はフィールド周波数６０Ｆｉｅｌｄ／ｓ、１ｓａｍｐｌｅが２４ｂｉｔ／ｓａｍｐｌｅの処理について書かれている。つまりフィールド周波数５０Ｆｉｅｌｄ／ｓの場合、２４ｂｉｔ／ｓａｍｐｌｅから２０ｂｉｔ／ｓａｍｐｌｅに変換する前の処理タイミングが書かれている事になる。まず、基本となる６０Ｆｉｅｌｄ／ｓのタイミングについて述べる。ＲａｔｅＣｏｎｖＲＡＭ２８は内部が３ｂａｎｋに分かれており、それぞれのｂａｎｋに４８ｓａｍｐｌｅ×２４ｂｉｔ／ｓａｍｐｌｅのデータが格納できるようになっている。図１９の数字はＲＣＲＡＭｂａｎｋＮｏ．を示している。８００ｓａｍｐｌｅ／ｆｉｅｌｄを４８ｓａｍｐｌｅ／ｂａｎｋ×１６ｂａｎｋ＋３２ｓａｍｐｌｅ（１ｂａｎｋ）で処理していることがわかる。Ｆｌｄ−Ｓｔａｒｔ及びＣ２−Ｓｔａｒｔはコントローラ３９より来る処理タイミングコントロール信号であり、Ｆｌｄ−ｓｔａｒｔから新しいフィールドデータがＲａｔｅＣｏｎｖＲＡＭ２８より読み出される。図１９で新フィールドデータがｂａｎｋ２，０から順にＲａｔｅＣｏｎｖＲＡＭ２８より読み出されていることがわかる。そして、それ以降切れ目なくＦＳレートでＲａｔｅＣｏｎｖＲＡＭ２８よりデータが読み出される。図１９で分かるように、ＲａｔｅＣｏｎｖＲＡＭ２８のｂａｎｋはサイクリックに読み出される。Ｃ２−Ｓｔａｒｔは基本的にＲａｔｅＣｏｎｖＲＡＭ２８の２ｂａｎｋが読み出される毎に出される。Ｆｌｄ−Ｓｔａｒｔが出た時から新フィールドデータをＲａｔｅＣｏｎｖＲＡＭ２８より読出さなければならないのでＦｌｄ−Ｓｔａｒｔ前のＣ２−Ｓｔａｒｔで新フィールド最初のｂａｎｋをＣ２ＥＣＣデコード処理する。図１９ではｂａｎｋ２が新フィールド最初のＢａｎｋであり、これをＣ２ＥＣＣ処理している。新フィールド最初の処理ではＲＣＲＡＭの１ｂａｎｋ分を処理する。Ｆｌｄ−Ｓｔａｒｔが来たら次の２ｂａｎｋ分を処理し、以降Ｃ２−Ｓｔａｒｔが来る毎に２ｂａｎｋ分づつ処理をする。このようにしてフィールド周波数６０Ｆｉｅｌｄ／ｓのオーディオＥＣＣデコード処理が行われる。基本となるフィールド周波数６０Ｆｉｅｌｄ／ｓではコンバートレジスタ４１は使われない。
【００７７】
次にフィールド周波数５０Ｆｉｅｌｄ／ｓの場合について述べる。図１４でわかるようにフィールド周波数５０Ｆｉｅｌｄ／ｓ時にはＥＣＣデコード＆オーディオ／ビデオ分離部５’のオーディオ出力はオーディオデータデパックして９６０ｓａｍｐｌｅ／ｆｉｌｅｄ×２０ｂｉｔ／ｓａｍｐｌｅ（４８ＫＨｚ）で出力する。８００ｓａｍｐｌｅ／ｆｉｅｌｄ×２４ｂｉｔ／ｓａｍｐｌｅをオーディオデータデパックして９６０ｓａｍｐｌｅ／ｆｉｅｌｄ×２０ｂｉｔ／ｓａｍｐｌｅに変換するわけだが、オーディオデータデパックの働きをするのは、図１８のコンバートレジスタ４１である。図１８のＲａｔｅＣｏｎｖＲＡＭ２８より読み出すデータは２４ｂｉｔ／ｓａｍｐｌｅであり、８００ｓａｍｐｌｅ／ｆｉｅｌｄ×２４ｂｉｔ／ｓａｍｐｌｅで来る。このデータはオーディオデータデパック変換をコンバートレジスタ４１で行ない９６０ｓａｍｐｌｅ／ｆｉｅｌｄ×２０ｂｉｔ／ｓａｍｐｌｅに変換する。図１８のコントローラ３９は、Ｓ／Ｐ変換部４０へ２０ｂｉｔ／ｓａｍｐｌｅを送る時にはエンコード時と同じようにＬＳＢ４ｂｉｔ、ＭＤＢ（中間）８ｂｉｔ、ＭＳＢ８ｂｉｔに分割して送る。変換シーケンスの単位はエンコード時と同じく９６０ｓａｍｐｌｅ／ｆｉｅｌｄ×２０ｂｉｔ／ｓａｍｐｌｅで６ｓａｍｐｌｅを１シーケンスとする。すなわち、５ｓａｍｐｌｅ×２４ｂｉｔ／ｓａｍｐｌｅを６ｓａｍｐｌｅ×２０ｂｉｔ／ｓａｍｐｌｅに変換する。よって、８００ｓａｍｐｌｅ／ｆｉｅｌｄ×２４ｂｉｔ／ｓａｍｐｌｅは９６０ｓａｍｐｌｅ／ｆｉｅｌｄ×２０ｂｉｔ／ｓａｍｐｌｅに変換されることになる。
【００７８】
コンバートレジスタ４１の動作説明図を図２０に示す。コンバートレジスタには２４個（２４ｂｉｔ分）のレジスタがある。入力データは２４ｂｉｔ／ｓａｍｐｌｅであり、図２０に示すように信号Ｆｉｅｌｄ−Ｓｔａｒｔを変換処理シーケンス先頭としてオーディオデータをレジスタに書込む。この時、（Ａ）で示した順方向再生（Ｆｏｒｗａｒｄ）であればＬＳＢファストで順にＭＳＢの方に詰めて書込む。又、（Ｂ）で示した逆方向再生（Ｒｅｖｅｒｓｅ）であればＭＳＢファストで順にＬＳＢの方に詰めて書込む。また、読み出す時にも順方向再生であればＬＳＢファストで順にＭＳＢの方に読出しする。逆方向再生であればＭＳＢファストで順にＬＳＢの方に読出しする。コントローラ３９からＳ／Ｐ変換部４０へデータを出力する際にはコンバートレジスタ読出におけるＬＳＢファスト又はＭＳＢファストに合わせてＬＳＢ４ｂｉｔ、ＭＤＢ（中間）８ｂｉｔ、ＭＳＢ８ｂｉｔの３つに分割して送る。よって、順方向再生時はＬＳＢファスト、逆方向再生時はＭＳＢファストになる。デコードもエンコードと同じく、書込み、読出し共にサイクリックにコンバートレジスタ４１に書込み／読出しする。なお、書き込みと読み出しが同時に競合した場合には，読み出しを先に行う。
【００７９】
コンバートレジスタの書込みは５ｓａｍｐｌｅ書いた後、１ｓａｍｐｌｅ書き込みを休むようにコントロールする。つまり６ｓａｍｐｌｅに１ｓａｍｐｌｅはＲａｔｅＣｏｎｖＲＡＭ２８からの読出し＝コンバートレジスタ４１への書き込みが休みになる。また、コントローラ３７へのＣ２ＥＣＣデコード処理開始コントロール信号やＦｌｄ−Ｓｔａｒｔ信号、Ｃ２−Ｓｔａｒｔ信号などを作るための内部カウンタも４８ＫＨｚ系で６ｓａｍｐｌｅに１回休んでカウンタを動かして信号を作り出す。フィールド周波数６０ｆｉｅｌｄ／ｓで９５ｓａｍｐｌｅ（４８ＫＨｚ系）のカウンタ動作は、５０Ｆｉｅｌｄ／ｓでは１１４ｓａｍｐｌｅ（４８ＫＨｚ系）（＝９５×６／５）で動作することになる。図１９のＦｌｄ−ｓｔａｒｔとＣ２−Ｓｔａｒｔが重なっている部分から次のＣ２−Ｓｔａｒｔはフィールド周波数６０Ｆｉｅｌｄ／ｓで９６ｓａｍｐｌｅ（４８ＫＨｚ）の間隔となっているが、これをフィールド周波数５０Ｆｉｅｌｄ／ｓで考えると１１４ｓａｍｐｌｅで９５ｓａｍｐｌｅ分（６０ｆｉｅｌｄ／ｓ）のカウンタが進み、次の１ｓａｍｐｌｅでカウンタが進み、９６ｓａｍｐｌｅ分（６０ｆｉｅｌｄ／ｓ）カウンタが進む。つまりＦｌｄ−ｓｔａｒｔの次のＣ２−Ｓｔａｒｔは１１５ｓａｍｐｌｅ（１１４＋１）で出ることになる。このようにして、コントローラ３７のＣ２ＥＣＣデコード処理もフィールド周波数比倍で動作することになる。この時重要なのはＲａｔｅＣｏｎｖＲＡＭ２８やコントローラ３７がＲＡＭ読み出しコントロールや処理スタートコントロールによって周波数比倍の動作をしているということであり、ＲａｔｅＣｏｎｖＲＡＭ２８やコントローラ３７はフィールド周波数６０ｆｉｌｅｄ／ｓの時と比べて何ら回路を変更する必要がないということである。また、コントローラ３９はオーディオデータデパック変換の際に６ｓａｍｐｌｅに１ｓａｍｐｌｅの割合で，内部カウントやコントロールを休むことによってフィールド周波数比倍のレート変換を行なっており、先に示した図８の４８ＫＨｚ，４０ＫＨｚ２つのクロックを使用してオーディオデータデパックしている方式に比べると、４８ＫＨｚ１つのクロックのみで、しかもわずか２４個のレジスタでレート変換できる。
【００８０】
ここでシャトル再生（Ｓｈｕｔｔｌｅ再生）を考えてみる。シャトル再生時には様々なフィールドのデータが混じってしまう。ノーマル再生時には１フィールド内で図４のＥＣＣブロックは全て同じフィールドのデータであった。だからＣ２ＥＣＣデコードが出来るわけである。しかし、シャトル再生時にはＳｙｎｃデータ（Ｃ１方向のデータ）は元のままだが、Ｃ２方向に各Ｓｙｎｃデータを見ていくと異フィールド間のＳｙｎｃデータが混じり合っており、Ｃ２ＥＣＣデコードはできない。よって、シャトル再生時にオーディオデータデパックを行なうと、図２１のようにオーディオデータデパックシーケンスは守られているが、データパックされた各データは別のフィールド間データである。ここで注目すべき事はオーディオデータパックで２４ｂｉｔにデータパックしたサンプルデータはそのままであり、データパックの中のｂｉｔデータがバラバラになることはないということである。図２１のＡ０，Ｂ０，Ｂ１，Ｃ１，Ｃ２，Ｄ２，Ｄ３，Ｅ３，Ｅ４，Ｆ４はそれぞれ別々のサンプルデータである。Ａ〜Ｆはデータデパックシーケンスの何番めのデータかを表しており、アルファベットの後の数字はフィールドを表しており、すべてバラバラのフィールドデータがオーディオデータデパックされている様子を示している。図２１でわかるようにオーディオデータデパックシーケンスの５ｓａｍｐｌｅ（データパック後の２４ｂｉｔ／ｓａｍｐｌｅ）中、最初と最後のデータパックにはＡ０，Ｆ４がそれぞれ欠損なく入っていることが分かる。つまり、これらＡ０，Ｆ４はオーディオデータデパックしても必ず元の２０ｂｉｔ／サンプルデータに欠損なく戻せることが分かる。Ａ０，Ｆ４以外は異フィールド間のデータが混じり合うのでこれはエラーデータとして、図１８のＳ／Ｐ変換部４０でコンシール処理を行なう。具体的には、有効なデータで無効なデータを補間して出力を構成する。これら一連の処理でオーディオデータがどのように変化するかを図２１に示している。
【００８１】
上記の場合の応用で２０ｂｉｔ全てが欠損なく元のデータに戻らなくても、ＭＳＢ１６ｂｉｔが元に戻っていればそのデータは使うという方法も考えられる。これを図２２に示した。オーディオデータデパック済みの２０ｂｉｔサンプルデータに対して、ＬＳＢ４ｂｉｔを０に置き換えてＭＳＢ１６ｂｉｔを有効にする。このようにすれば、図２２のようにＡ０，Ｂ１，Ｆ４が有効データとなる。先ほどと同様にこれら再生可能データ以外はエラーデータとして、コンシール処理を行なう。ここではＡ０，Ｆ４の２０ｂｉｔまるごと再生できるものまで一律にＬＳＢ４ｂｉｔを０にしているが、これは処理を簡潔にするためであり、オーディオデータデパックシーケンスの最初と最後は２０ｂｉｔ丸ごと再生出来るのだからこれらのサンプルはＬＳＢ４ｂｉｔを０にせず２０ｂｉｔそのまま再生データとして使用するという方法もある。
【００８２】
【発明の効果】
本発明によれば、あるフィールド周波数に対応したオーディオ記録再生装置を基本として、フォーマットを変えずにあらゆる種類のフィールド周波数、オーディオサンプリング周波数に対応するオーディオ記録再生装置を実現出来る。また、オーディオのベースバンド等ほとんどの処理はレートが変わるだけで処理内容は基となるフィールド周波数の記録再生装置と同じなので同じ回路が使える。更に、１台の装置であらゆる種類のフィールド周波数に対応するオーディオ記録再生装置を実現する場合を考えても、異なるフィールド周波数でほとんどの回路が共通に使えるので、容易にマルチフィールド周波数対応のオーディオ記録再生装置が実現できる。
【００８３】
本発明によれば、ＥＣＣエンコード処理回路でオーディオデータのフォーマット変換を簡単に処理できる。オーディオデータのフォーマット変換専用のデバイス（ＦＩＦＯ）は必要ない。又、ＥＣＣエンコード処理回路にオーディオデータのフォーマット変換専用のクロックを入れる必要がないためにベースバンド系オーディオクロック１種類をＥＣＣエンコード処理回路に入力するだけでよい。ＥＣＣエンコード処理回路にわずか２４個（２４ｂｉｔ）のレジスタを設けるだけでフォーマット変換が実現可能である。ＥＣＣエンコード処理回路の一部のコントロールを変更するだけでオーディオデータのフォーマット変換以降ほとんどの処理（例えばレートコンバートＲＡＭ処理、Ｃ２ＥＣＣエンコード処理）が基となるＥＣＣエンコード処理回路そのままを使えるので追加回路がほとんど必要ない。
【００８４】
本発明によれば、記録側のＥＣＣエンコード処理回路と同様に、再生側のＥＣＣデコード処理回路でもオーディオデータのフォーマット変換を簡単に実行できる。オーディオデータのフォーマット変換専用デバイス（ＦＩＦＯ）は必要ない。又、ＥＣＣデコード処理回路にオーディオデータのフォーマット変換専用のクロックを入れる必要がないために、ベースバンド系オーディオクロック１種類をＥＣＣデコード処理回路に入力するだけでよい。ＥＣＣデコード処理回路にわずか２４個（２４ｂｉｔ）のレジスタを設けるだけでフォーマット変換を実現可能である。ＥＣＣデコード処理回路の一部のコントロールを変更するだけで、オーディオデータのフォーマット変換より前の段階のほとんどの処理（例えばレートコンバートＲＡＭ処理、Ｃ２ＥＣＣデコード処理）が、基となるＥＣＣデコード処理回路そのままを使えるので、追加回路がほとんど必要ない。順方向可変再生、逆方向可変再生といったトリクプレーにも対応できる。
【００８５】
本発明によれば、オーディオデータをフォーマット変換して記録した媒体を再生対象としている。ここで、シャトル再生時には異フィールド間のパックデータが再生されるわけで、これをそのまま逆フォーマット変換で元に戻しても、全く違うフィールド間サンプルのＭＳＢ，ＬＳＢが逆フォーマット変換で合成されたデータとなる。よって、記録時のデータにはない全く違ったデータ値になる。これではシャトル再生音が大きなノイズとなる。このためオーディオデータパックされたものをシャトル再生する際には、やむなく全てのデータをミュートしていた。そこで、異なるフィールドに属するオーディオデータを混合してシャトル再生を行う場合、変換部で固有フォーマットに戻されたサンプルのうち正しいビット列を含む有効サンプルのみを出力することで、シャトル再生音を出すことができる。
【００８６】
本発明によれば、あるフィールド周波数に対応したビデオ記録再生装置を基本として、フォーマットを変えずにあらゆる種類のフィールド周波数、ビデオ画枠に対応するビデオ記録再生装置を実現出来る。又、ビデオのベースバンド処理、ビデオ圧縮、伸張、誤り訂正符合化等ほとんどの処理はレートが変わるだけで処理内容は基となるフィールド周波数の記録再生装置と同じなので同じ回路が使える。更に、１台の装置であらゆる種類のフィールド周波数に対応するビデオ記録再生装置を実現する場合を考えても、異なるフィールド周波数でほとんどの回路が共通に使えるので、容易にマルチフィールド周波数対応のビデオ記録再生装置が実現できる。加えて，ビデオの有効画枠が同じ場合には記録メディアのフォーマットがフィールド周波数によらず全て同じになる。よって、あるフィールド周波数で記録されたメディアを違うフィールド周波数で再生しても画像の再生が出来る。
【図面の簡単な説明】
【図１】基本となるデジタルオーディオ／ビデオ記録再生装置の一例を示すブロック図である。
【図２】シリアルで入力されるオーディオデータを示す模式図である。
【図３】ビデオデータのフォーマット図である。
【図４】オーディオデータのフォーマット図である。
【図５】本発明に係るデジタルオーディオ／ビデオ記録再生装置の実施形態を示すブロック図である。
【図６】図５に示したデジタルオーディオ／ビデオ記録再生装置の動作説明に供する模式図である。
【図７】図５に示したデジタルオーディオ／ビデオ記録再生装置に含まれるオーディオデータパック部の動作説明に供する模式図である。
【図８】図５に示したデジタルオーディオ／ビデオ記録再生装置に含まれるオーディオデータデパック部の動作説明に供する模式図である。
【図９】本発明に係るデジタルオーディオ／ビデオ記録再生装置の他の実施形態を示すブロック図である。
【図１０】図９に示したデジタルオーディオ／ビデオ記録再生装置の動作説明に供する模式図である。
【図１１】基本となるデジタルオーディオ／ビデオ記録再生装置の他の例を示すブロック図である。
【図１２】本発明に係るデジタルオーディオ／ビデオ記録再生装置の別の実施形態を示すブロック図である。
【図１３】図１２に示したデジタルオーディオ／ビデオ記録再生装置の動作説明に供する模式図である。
【図１４】本発明に係るデジタルオーディオ／ビデオ記録再生装置の実施形態を示すブロック図である。
【図１５】図１４に示したデジタルオーディオ／ビデオ記録再生装置に含まれるＥＣＣエンコーダ＆オーディオ／ビデオ結合部の構成を示すブロック図である。
【図１６】図１４に示したデジタルオーディオ／ビデオ記録再生装置に含まれるＥＣＣエンコーダ＆オーディオ／ビデオ結合部の動作説明に供する模式図である。
【図１７】図１６に示したＥＣＣエンコーダ＆オーディオ／ビデオ結合部に含まれるコンバートレジスタの動作説明に供する模式図である。
【図１８】図１４に示したデジタルオーディオ／ビデオ記録再生装置に含まれるＥＣＣデコーダ＆オーディオ／ビデオ分離部の構成を示すブロック図である。
【図１９】図１４に示したデジタルオーディオ／ビデオ記録再生装置に含まれるＥＣＣデコーダ＆オーディオ／ビデオ分離部の動作説明に供する模式図である。
【図２０】図１９に示したＥＣＣデコーダ＆オーディオ／ビデオ分離部に含まれるコンバートレジスタの動作説明に供する模式図である。
【図２１】図１４に示したデジタルオーディオ／ビデオ記録再生装置で行われるシャトル再生動作の一例を示す模式図である。
【図２２】図１４に示したデジタルオーディオ／ビデオ記録再生装置で行われるシャトル再生動作の他の例を示す模式図である。
【符号の説明】
１…ビデオベースバンド処理部、２…ビデオ圧縮部、３…オーディオベースバンド処理部、４…ＥＣＣエンコード＆オーディオ／ビデオ結合部、５…ＥＣＣデコード＆オーディオ／ビデオ分離部、６…ビデオ伸張部、７…ビデオベースバンド処理部、８…オーディオベースバンド処理部、９…オーディオデータパック部、１０…オーディオデータデパック部、１１…ビデオクロックコンバータ、１２…ビデオクロックコンバータ、１３…オーディオレートコンバータ、１４…オーディオレートコンバータ、２６…コントローラ、３４…コンバートレジスタ、３９…コントローラ、４０…Ｓ／Ｐ変換部、４１…コンバートレジスタ
【図１】
0004099570.tif 000002
【図２】
0004099570.tif 000003
【図３】
0004099570.tif 000004
【図４】
0004099570.tif 000005
【図５】
0004099570.tif 000006
【図６】
0004099570.tif 000007
【図７】
0004099570.tif 000008
【図８】
0004099570.tif 000009
【図９】
0004099570.tif 000010
【図１０】
0004099570.tif 000011
【図１１】
0004099570.tif 000012
【図１２】
0004099570.tif 000013
【図１３】
0004099570.tif 000014
【図１４】
0004099570.tif 000015
【図１５】
0004099570.tif 000016
【図１６】
0004099570.tif 000017
【図１７】
0004099570.tif 000018
【図１８】
0004099570.tif 000019
【図１９】
0004099570.tif 000020
【図２０】
0004099570.tif 000021
【図２１】
0004099570.tif 000022
【図２２】
0004099570.tif 000023